(57)【特許請求の範囲】
【請求項１】
同期信号送信デバイスであって、前記送信デバイスは、
1つまたは複数のシーケンスに従って同期信号を生成するように構成された、第1のプロセッサであって、前記1つまたは複数のシーケンスの1つまたは複数の長さは前記同期信号の長さに従って決定され、前記第1のプロセッサは前記同期信号に従ってベースバンド信号を獲得するように構成されている、第1のプロセッサと、
無線周波数変換を実行した後で、前記第1のプロセッサによって獲得された前記ベースバンド信号を送出するように構成された、第1の送信機と、
を含み、
前記シーケンスは第1のシーケンスを含み、
前記第1のプロセッサは、
前記同期信号の前記長さに従って1つまたは複数の第1のシーケンスの1つまたは複数の長さを決定し、
前記1つまたは複数の第1のシーケンスに対応する1つまたは複数の第1の事前設定値であって、各第1のシーケンスに対応する前記第1の事前設定値が独立している、前記1つまたは複数の第1の事前設定値を決定し、
前記同期信号を生成するために、前記1つまたは複数の第1の事前設定値に従って前記1つまたは複数の第1のシーケンスの循環シフトを実行するように特に構成されている、送信デバイス。
【請求項２】
前記シーケンスは第2のシーケンスをさらに含み、
前記第1のプロセッサは、
1つまたは複数の第2のシーケンスに従ってスクランブリングシーケンスを生成し、
前記スクランブリングシーケンスを用いて、前記同期信号に対して少なくとも1回スクランブリング処理を実行する
ようにさらに構成されており、
前記同期信号に従ってベースバンド信号を獲得することは、具体的には、
前記スクランブリング処理を受けた前記同期信号に従って前記ベースバンド信号を獲得すること
である、請求項１に記載の送信デバイス。
【請求項３】
前記第1のプロセッサは、
前記同期信号の前記長さに従って前記1つまたは複数の第2のシーケンスの1つまたは複数の長さを決定し、
前記1つまたは複数の第2のシーケンスに対応する1つまたは複数の第2の事前設定値であって、すべての第2のシーケンスが1つの第2の事前設定値または異なる第2の事前設定値に対応しており、グループ内のすべての同期ソースに対応するスクランブリングシーケンスの第2の事前設定値が同じである、前記1つまたは複数の第2の事前設定値を決定し、
前記スクランブリングシーケンスを生成するために、前記第2の事前設定値に従って各第2のシーケンスに対して循環シフトを実行する
ようにさらに特に構成されている、請求項２に記載の送信デバイス。
【請求項４】
前記第1の事前設定値または前記第2の事前設定値のどちらかは、グループ識別情報に従って決定される、請求項３に記載の送信デバイス。
【請求項５】
前記グループ識別情報は、プライマリ・デバイス・ツー・デバイス同期信号（PD2DSS）指示情報の関数であり、またはネットワークによって配信される第1の制御命令において搬送され、または送信デバイスによって配信される第2の制御命令において搬送され、またはネットワークによって暗黙的に指示される、請求項４に記載の送信デバイス。
【請求項６】
異なる第1のシーケンスについて、前記第1のプロセッサは、
すべての前記第1のシーケンスに対応する前記第1の事前設定値に従って前記同期信号のIDを決定し、または
プライマリ・デバイス・ツー・デバイス同期信号（PD2DSS）識別情報およびすべての前記第1のシーケンスに対応する前記第1の事前設定値に従って前記同期信号のIDを決定し、または
すべての前記第1のシーケンスの前記第1の事前設定値のいずれか1つに従って前記同期信号のIDを決定し、または
前記PD2DSS識別情報およびすべての前記第1のシーケンスの前記第1の事前設定値のいずれか1つに従って前記同期信号のIDを決定する
ようにさらに構成されている、請求項１に記載の送信デバイス。
【請求項７】
同期信号受信デバイスであって、
請求項１に記載の送信デバイスによって送信された前記同期信号を受信するように構成された、受信機であって、前記同期信号は1つまたは複数のシーケンスに従って送信端によって生成され、前記1つまたは複数のシーケンスの1つまたは複数の長さは前記同期信号の長さに従って決定される、受信機と、
前記同期信号の前記送信端と受信端との間の同期を得るために、前記受信機によって受信された前記同期信号を検出するように構成された、第2のプロセッサと、
を含む、受信デバイス。
【請求項８】
前記シーケンスは、mシーケンス、ZCシーケンス、またはこれらの組み合わせに従って生成される、請求項７に記載の受信デバイス。
【請求項９】
前記シーケンスが31の長さを有するmシーケンスである場合、前記1つまたは複数のシーケンスを生成するための原始多項式は、以下の多項式のいずれか1つまたは任意の組み合わせであり：
【数１】
0006507436.tif 000169
式中、
【数２】
0006507436.tif 000170
mod 2は2による除算のモジュロ演算を表す、請求項７に記載の受信デバイス。
【請求項１０】
前記シーケンスが63の長さを有するmシーケンスである場合、前記1つまたは複数のシーケンスを生成するための原始多項式は、以下の多項式のいずれか1つまたは任意の組み合わせであり：
【数３】
0006507436.tif 000171
式中、
【数４】
0006507436.tif 000172
mod 2は2による除算のモジュロ演算を表す、請求項７に記載の受信デバイス。
【請求項１１】
第2の送信機をさらに含み、
前記第2のプロセッサは、
事前設定基準に従って、前記受信機が前記同期信号を受信するかどうか検出し、
前記同期信号が検出されない場合、前記第2の送信機をトリガして、前記受信デバイスによって生成された同期信号を別の受信端へ送信させる
ようにさらに構成されている、請求項７に記載の受信デバイス。
【請求項１２】
同期信号送信方法であって、前記方法は、
送信機により、1つまたは複数のシーケンスに従って同期信号を生成するステップであって、前記1つまたは複数のシーケンスの1つまたは複数の長さは前記同期信号の長さに従って決定される、ステップと、
前記送信機により、前記同期信号に従ってベースバンド信号を獲得するステップと、
前記送信機により、無線周波数変換を実行した後で前記ベースバンド信号を送出するステップと、
を含み、
前記シーケンスは第1のシーケンスを含み、
送信機により、1つまたは複数のシーケンスに従って同期信号を生成する前記ステップは、
前記送信機により、前記同期信号の前記長さに従って1つまたは複数の第1のシーケンスの1つまたは複数の長さを決定ステップと、
前記送信機により、前記1つまたは複数の第1のシーケンスに対応する1つまたは複数の第1の事前設定値を決定するステップであって、各第1のシーケンスに対応する前記第1の事前設定値が独立している、ステップと、
前記送信機により、前記同期信号を生成するために、前記1つまたは複数の第1の事前設定値に従って前記1つまたは複数の第1のシーケンスの循環シフトを実行するステップと、を含む、方法。
【請求項１３】
前記シーケンスは第2のシーケンスをさらに含み、
送信機により、1つまたは複数のシーケンスに従って同期信号を生成する前記ステップは、
前記送信機により、1つまたは複数の第2のシーケンスに従ってスクランブリングシーケンスを生成するステップと、
前記送信機により、前記スクランブリングシーケンスを用いて、前記同期信号に対して少なくとも1回スクランブリング処理を実行するステップと、
をさらに含み、
前記送信機により、前記同期信号に従ってベースバンド信号を獲得する前記ステップは、具体的には、
前記送信機により、前記スクランブリング処理を受けた前記同期信号に従って前記ベースバンド信号を獲得するステップ
である、請求項１２に記載の方法。
【請求項１４】
前記送信機により、1つまたは複数の第2のシーケンスに従ってスクランブリングシーケンスを生成する前記ステップは、
前記送信機により、前記同期信号の前記長さに従って前記1つまたは複数の第2のシーケンスの1つまたは複数の長さを決定するステップと、
前記送信機により、前記1つまたは複数の第2のシーケンスに対応する1つまたは複数の第2の事前設定値を決定するステップであって、すべての第2のシーケンスが1つの第2の事前設定値または異なる第2の事前設定値に対応しており、グループ内のすべての同期ソースに対応するスクランブリングシーケンスの第2の事前設定値が同じである、ステップと、
前記送信機により、前記スクランブリングシーケンスを生成するために、前記第2の事前設定値に従って各第2のシーケンスに対して循環シフトを実行するステップと、
を含む、請求項１３に記載の方法。
【請求項１５】
前記第1の事前設定値または前記第2の事前設定値のどちらかは、グループ識別情報に従って決定される、請求項１４に記載の方法。
【請求項１６】
前記グループ識別情報は、プライマリ・デバイス・ツー・デバイス同期信号（PD2DSS）指示情報の関数であり、またはネットワークによって配信される第1の制御命令において搬送され、または送信デバイスによって配信される第2の制御命令において搬送され、またはネットワークによって暗黙的に指示される、請求項１５に記載の方法。
【請求項１７】
異なる第1のシーケンスについて、前記第1のシーケンスにそれぞれ対応する第1の事前設定値と前記同期信号の識別情報（ID）との間の関係は、
前記送信機により、すべての前記第1のシーケンスに対応する前記第1の事前設定値に従って前記同期信号の前記IDを決定すること、または
前記送信機により、プライマリ・デバイス・ツー・デバイス同期信号（PD2DSS）識別情報およびすべての前記第1のシーケンスに対応する前記第1の事前設定値に従って前記同期信号の前記IDを決定すること、または
前記送信機により、すべての前記第1のシーケンスの前記第1の事前設定値のいずれか1つに従って前記同期信号の前記IDを決定すること、または
前記送信機により、前記PD2DSS識別情報およびすべての前記第1のシーケンスの前記第1の事前設定値のいずれか1つに従って前記同期信号の前記IDを決定すること
である、請求項１２に記載の方法。
【発明の詳細な説明】
【技術分野】
【０００１】
本発明の実施態様は、通信技術に関し、詳細には、同期信号送受信方法、同期信号送受信装置、および同期信号送受信デバイスに関する。
【背景技術】
【０００２】
同期は、通信システムにおける、特に無線通信システムにおける主要技術である。受信機を送信機と効率よく同期させることができるかどうかは通信システムの性能に大きく影響する。通信システムにおけるデバイス間の同期を量るための主要な指標は同期実現および同期検出性能の複雑さである。
【０００３】
デバイス・ツー・デバイス（Device to Device、略称：D2D）通信システムと、モバイル通信用グローバルシステム（Global System for Mobile Communication、略称：GSM（登録商標））といった典型的なセルラモバイル通信システムとは、同期に関して大きな違いを有する。D2D通信システムにおいては、送信機として働く複数のユーザ機器（User equipment、略称：UE）のタイミングが完全に異なり、受信機として働くUEは、複数の送信側UEからの信号を受信するために、異なる送信側UEと同期される必要がある。したがって、通信システムは同期に対してより高度な要件を課し、受信側UEはすべての送信側UEと迅速に効率よく同期される必要がある。
【０００４】
第3世代パートナーシッププロジェクト（3rd Generation Partnership Project、略称：3GPP）の標準化に関する調査の過程で、異なるD2D送受信機間の同期を実現するためにD2D同期信号（D2D Synchronization Signal、略称：D2DSS）が導入されている。D2DSSは、プライマリD2D同期信号（Primary D2D Synchronization Signal、略称：PD2DSS）およびセカンダリD2D同期信号（Secondary D2D Synchronization Signal、略称：SD2DSS）を含み、PD2DSSは送信機と受信機との間の初期タイミングおよび周波数同期を実現し、SD2DSSは精細同期を実現する。現段階においては、良好な相関を有する同期信号をどのように生成するかが大きな関心を集めている。
【発明の概要】
【課題を解決するための手段】
【０００５】
本発明の実施態様は、同期信号送受信方法、同期信号送受信装置、および同期信号送受信デバイスを提供する。1つのD2D応用シナリオにおいては、良好な相関を有する同期信号が生成され、そのため、このD2Dシナリオでは、分散された同期信号の送受信を実現することができ、同期信号の送信端と受信端との間の迅速な同期を実現することができる。
【０００６】
第1の態様によれば、本発明の一実施態様は同期信号送信装置を提供し、本装置は、
1つまたは複数のシーケンスに従って同期信号を生成するように構成された、同期信号生成モジュールであって、1つまたは複数のシーケンスの1つまたは複数の長さは同期信号の長さに従って決定される、同期信号生成モジュールと、
同期信号生成モジュールによって生成された同期信号に従ってベースバンド信号を獲得するように構成された、ベースバンド信号獲得モジュールと、
無線周波数変換を実行した後で、ベースバンド信号獲得モジュールによって獲得されたベースバンド信号を送出するように構成された、第1の送信モジュールと、
を含む。
【０００７】
第1の態様に関連して、第1の態様の第1の可能な実施態様において、シーケンスは第1のシーケンスを含み、同期信号生成モジュールは、
同期信号の長さに従って1つまたは複数の第1のシーケンスの1つまたは複数の長さを決定し、1つまたは複数の第1のシーケンスに対応する1つまたは複数の第1の事前設定値であって、各第1のシーケンスに対応する第1の事前設定値が独立している、1つまたは複数の第1の事前設定値を決定し、同期信号を生成するために、1つまたは複数の第1の事前設定値に従って1つまたは複数の第1のシーケンスに対して循環シフトを実行するように構成された、同期信号生成部
を含む。
【０００８】
第1の態様の第1の可能な実施態様に関連して、第1の態様の第2の可能な実施態様において、シーケンスは第2のシーケンスをさらに含み、同期信号生成モジュールは、
1つまたは複数の第2のシーケンスに従ってスクランブリングシーケンスを生成し、スクランブリングシーケンスを用いて、同期信号生成部によって生成された同期信号に対して少なくとも1回スクランブリング処理を実行するように構成された、スクランブリング部
をさらに含み、
ベースバンド信号獲得モジュールは、
スクランブリング部によって実行されるスクランブリング処理を受けた同期信号に従ってベースバンド信号を獲得する
ように特に構成されている。
【０００９】
第1の態様の第2の可能な実施態様に関連して、第1の態様の第3の可能な実施態様において、スクランブリング部は、
同期信号の長さに従って1つまたは複数の第2のシーケンスの1つまたは複数の長さを決定し、
1つまたは複数の第2のシーケンスに対応する1つまたは複数の第2の事前設定値であって、すべての第2のシーケンスが1つの第2の事前設定値または異なる第2の事前設定値に対応しており、グループ内のすべての同期ソースに対応するスクランブリングシーケンスの第2の事前設定値が同じである、1つまたは複数の第2の事前設定値を決定し、
スクランブリングシーケンスを生成するために、第2の事前設定値に従って各第2のシーケンスに対して循環シフトを実行する
ように特に構成されている。
【００１０】
第1の態様の第3の可能な実施態様に関連して、第1の態様の第4の可能な実施態様において、複数のスクランブリングシーケンスがあるときに、少なくとも1つのスクランブリングシーケンスはグループ内の1つの第2の事前設定値に対応しており、その他のスクランブリングシーケンスは異なる第2の事前設定値に対応している。
【００１１】
第1の態様の第3または第4の可能な実施態様に関連して、第1の態様の第5の可能な実施態様において、第1の事前設定値または第2の事前設定値のどちらかはグループ識別情報に従って決定される。
【００１２】
第1の態様の第5の可能な実施態様に関連して、第1の態様の第6の可能な実施態様において、事前設定値は第1の事前設定値および第2の事前設定値を含み、同期信号生成部およびスクランブリング部は、
次式に従って事前設定値を求めるようにさらに構成されており：
f（NGID）＝a＊NGID＋b、または
f（NGID）＝（a＊NGID＋b）mod K
式中、NGIDはグループ識別情報を表し、aおよびbは事前定義された定数であり、f（NGID）は事前設定値を表し、Kはシステムによって定義された定数であり、modはモジュロ演算を表す。
【００１３】
第1の態様の第5または第6の可能な実施態様に関連して、第1の態様の第7の可能な実施態様において、グループ識別情報は、プライマリ・デバイス・ツー・デバイス同期信号PD2DSS指示情報の関数であり、またはネットワークによって配信される第1の制御命令において搬送され、または送信デバイスによって配信される第2の制御命令において搬送され、またはネットワークによって暗黙的に指示される。
【００１４】
第1の態様の第1から第7の可能な実施態様のいずれか1つに関連して、第1の態様の第8の可能な実施態様において、異なる第1のシーケンスについて、同期信号生成部は、
すべての第1のシーケンスに対応する第1の事前設定値に従って同期信号の識別情報IDを決定し、または
プライマリ・デバイス・ツー・デバイス同期信号PD2DSS識別情報およびすべての第1のシーケンスに対応する第1の事前設定値に従って同期信号のIDを決定し、または
すべての第1のシーケンスの第1の事前設定値のいずれか1つに従って同期信号のIDを決定し、または
PD2DSS識別情報およびすべての第1のシーケンスの第1の事前設定値のいずれか1つに従って同期信号のIDを決定する
ようにさらに構成されている。
【００１５】
第1の態様または第1の態様の第1から第8の可能な実施態様のいずれか1つに関連して、第1の態様の第9の可能な実施態様において、ベースバンド信号獲得モジュールは、
周波数領域信号を獲得するために、同期信号をサブキャリアにマップするように構成された、マッピング部と、
マッピング部によって獲得された周波数領域信号に従って時間領域信号を獲得するように構成された、獲得部と、
を含む。
【００１６】
第1の態様の第9の可能な実施態様に関連して、第1の態様の第10の可能な実施態様において、同期信号は少なくとも1つの第1の同期信号および少なくとも1つの第2の同期信号を含み、すべての第1の同期信号およびすべての第2の同期信号に対応する第1のシーケンスが同じであり、または異なり、マッピング部は、
周波数領域信号を獲得するために、すべての第1の同期信号をすべての第1の同期信号に対応する第1の位置にそれぞれマップし、すべての第2の同期信号をすべての第2の同期信号に対応する第2の位置にそれぞれマップするように特に構成されており、すべての第1の同期信号に対応する第1の位置およびすべての第2の同期信号に対応する第2の位置はそれぞれ1つのサブフレームにおける異なるシンボル位置であり、またはすべての第1の同期信号に対応する第1の位置およびすべての第2の同期信号に対応する第2の位置はそれぞれ異なるサブフレーム内のものである。
【００１７】
第1の態様の第10の可能な実施態様に関連して、第1の態様の第11の可能な実施態様において、同期信号は少なくとも1つの第3の同期信号をさらに含み、第3の同期信号に対応するシーケンスは、第1の同期信号または第2の同期信号に対応するシーケンスと同じであり、または異なり、マッピング部は、
周波数領域信号を獲得するために、すべての第3の同期信号をすべての第3の同期信号に対応する第3の位置にそれぞれマップするようにさらに構成されており、すべての第3の同期信号に対応する第3の位置、すべての第1の同期信号に対応する第1の位置、およびすべての第2の同期信号に対応する第2の位置はそれぞれ1つのサブフレームにおける異なるシンボル位置であり、または、すべての第1の同期信号に対応する第1の位置、すべての第2の同期信号に対応する第2の位置、およびすべての第3の同期信号に対応する第3の位置はそれぞれ異なるサブフレーム内のものである。
【００１８】
第1の態様または第1の態様の第1から第11の可能な実施態様のいずれか1つに関連して、第1の態様の第12の可能な実施態様において、シーケンスは、mシーケンス、ZCシーケンス、またはこれらの組み合わせに従って生成される。
【００１９】
第1の態様または第1の態様の第1から第12の可能な実施態様のいずれか1つに関連して、第1の態様の第13の可能な実施態様において、シーケンスが31の長さを有するmシーケンスである場合、1つまたは複数のシーケンスの原始多項式は以下の多項式のいずれか1つまたは任意の組み合わせであり：
【数１】
0006507436.tif 000002
式中、
【数２】
0006507436.tif 000003
mod 2は2による除算のモジュロ演算を表す。
【００２０】
第1の態様または第1の態様の第1から第12の可能な実施態様のいずれか1つに関連して、第1の態様の第14の可能な実施態様において、シーケンスが63の長さを有するmシーケンスである場合、1つまたは複数のシーケンスの原始多項式は以下の多項式のいずれか1つまたは任意の組み合わせであり：
【数３】
0006507436.tif 000004
式中、
【数４】
0006507436.tif 000005
mod 2は2による除算のモジュロ演算を表す。
【００２１】
第1の態様の第10から第14の可能な実施態様のいずれか1つに関連して、第1の態様の第15の可能な実施態様において、獲得部は、
直交周波数分割多重化OFDMによって周波数領域信号からベースバンド信号を獲得し、または
シングルキャリア周波数分割多元接続SC-FDMAによって周波数領域信号からベースバンド信号を獲得する
ように特に構成されている。
【００２２】
第1の態様の第15の可能な実施態様に関連して、第1の態様の第16の可能な実施態様において、獲得部は、
次式に従ってベースバンド信号を獲得するようにさらに構成されており：
【数５】
0006507436.tif 000006
式中、tはベースバンド信号s（t）の時間独立変数を表し、
【数６】
0006507436.tif 000007
であり、Δfはサブキャリア間隔であり、akは周波数領域データが対応するサブキャリアにマップされた後で獲得される値であり、
【数７】
0006507436.tif 000008
であり、式中、
【数８】
0006507436.tif 000009
はシステム帯域幅のために構成されたリソースブロックRBの数を表し、
【数９】
0006507436.tif 000010
は周波数領域におけるリソースブロックのサイズを表し、
【数１０】
0006507436.tif 000011
は切り捨て演算を表し、Nはシステム帯域幅のために構成されたサブキャリアの数である。
【００２３】
第1の態様の第15の可能な実施態様に関連して、第1の態様の第17の可能な実施態様において、獲得部は、
次式に従ってベースバンド信号を獲得するようにさらに構成されており：
【数１１】
0006507436.tif 000012
式中、tはベースバンド信号s（t）の時間独立変数を表し、
【数１２】
0006507436.tif 000013
であり、Δfはサブキャリア間隔であり、akは周波数領域データが対応するサブキャリアにマップされた後で獲得される値であり、
【数１３】
0006507436.tif 000014
であり、式中、
【数１４】
0006507436.tif 000015
はシステム帯域幅のために構成されたリソースブロックRBの数を表し、
【数１５】
0006507436.tif 000016
は周波数領域におけるリソースブロックのサイズを表し、
【数１６】
0006507436.tif 000017
は切り捨て演算を表し、Nはシステム帯域幅のために構成されたサブキャリアの数である。
【００２４】
第1の態様の第17の可能な実施態様に関連して、第1の態様の第18の可能な実施態様において、本装置は、
変換信号を獲得するために、同期信号に対して離散フーリエ変換DFTを実行するように構成された、変換モジュール
をさらに含み、
獲得部は、ベースバンド信号を獲得するために、SC-FDMAによって変換信号をサブキャリアにマップするように構成されている。
【００２５】
第1の態様の第18の可能な実施態様に関連して、第1の態様の第19の可能な実施態様において、変換モジュールは、
次式に従って変換信号を獲得するように特に構成されており：
【数１７】
0006507436.tif 000018
式中、lは同期信号d（l）の独立変数を表し、Lは同期信号の長さであり、b（n）は同期信号に対してDFTが実行された後で獲得される変換信号を表し、0≦n≦L−1であり、jは虚数単位を表す。
【００２６】
第1の態様または第1の態様の第1から第19の可能な実施態様のいずれか1つに関連して、第1の態様の第20の可能な実施態様において、第1の送信モジュールは、
ベースバンド信号に対する無線周波数変換を実行した後で無線周波数信号を獲得し、
事前設定期間が到来したときに無線周波数信号を送出する
ように特に構成されている。
【００２７】
第2の態様によれば、本発明の一実施態様は同期信号受信装置を提供し、本装置は、
同期信号を受信するように構成された、受信モジュールであって、同期信号は1つまたは複数のシーケンスに従って送信端によって生成され、1つまたは複数のシーケンスの1つまたは複数の長さは同期信号の長さに従って決定される、受信モジュールと、
同期信号の送信端との同期を得るために、受信モジュールによって受信された同期信号を検出するように構成された、処理モジュールと、
を含む。
【００２８】
第2の態様に関連して、第2の態様の第1の可能な実施態様において、シーケンスは、mシーケンス、ZCシーケンス、またはこれらの組み合わせに従って生成される。
【００２９】
第2の態様または第2の態様の第1の可能な実施態様に関連して、第2の態様の第2の可能な実施態様において、シーケンスが31の長さを有するmシーケンスである場合、1つまたは複数のシーケンスを生成するための原始多項式は以下の多項式のいずれか1つまたは任意の組み合わせであり：
【数１８】
0006507436.tif 000019
式中、
【数１９】
0006507436.tif 000020
mod 2は2による除算のモジュロ演算を表す。
【００３０】
第2の態様または第2の態様の第1の可能な実施態様に関連して、第2の態様の第3の可能な実施態様において、シーケンスが63の長さを有するmシーケンスである場合、1つまたは複数のシーケンスを生成するための原始多項式は以下の多項式のいずれか1つまたは任意の組み合わせであり：
【数２０】
0006507436.tif 000021
式中、
【数２１】
0006507436.tif 000022
mod 2は2による除算のモジュロ演算を表す。
【００３１】
第2の態様または第2の態様の第1から第3の可能な実施態様のいずれか1つに関連して、第2の態様の第4の可能な実施態様において、本装置は第2の送信モジュールをさらに含み、処理モジュールは、
事前設定基準に従って、受信モジュールが同期信号を受信するかどうか検出し、
同期信号が検出されない場合、第2の送信モジュールをトリガして、本装置によって生成された同期信号を別の受信端へ送信させる
ようにさらに構成されている。
【００３２】
第3の態様によれば、本発明の一実施態様は同期信号送信デバイスを提供し、本デバイスは、
1つまたは複数のシーケンスに従って同期信号を生成するように構成された、第1のプロセッサであって、1つまたは複数のシーケンスの1つまたは複数の長さは同期信号の長さに従って決定され、第1のプロセッサは同期信号に従ってベースバンド信号を獲得するように構成されている、第1のプロセッサと、
無線周波数変換を実行した後で、第1のプロセッサによって獲得されたベースバンド信号を送出するように構成された、第1の送信機と、
を含む。
【００３３】
第3の態様に関連して、第3の態様の第1の可能な実施態様において、シーケンスは第1のシーケンスを含み、第1のプロセッサは、
同期信号の長さに従って1つまたは複数の第1のシーケンスの1つまたは複数の長さを決定し、
1つまたは複数の第1のシーケンスに対応する1つまたは複数の第1の事前設定値であって、各第1のシーケンスに対応する第1の事前設定値が独立している、第1の事前設定値を決定し、
同期信号を生成するために、1つまたは複数の第1の事前設定値に従って1つまたは複数の第1のシーケンスの循環シフトを実行する
ように特に構成されている。
【００３４】
第3の態様の第1の可能な実施態様に関連して、第3の態様の第2の可能な実施態様において、シーケンスは第2のシーケンスをさらに含み、第1のプロセッサは、
1つまたは複数の第2のシーケンスに従ってスクランブリングシーケンスを生成し、
スクランブリングシーケンスを用いて、同期信号に対して少なくとも1回スクランブリング処理を実行する
ようにさらに構成されており、
同期信号に従ってベースバンド信号を獲得することは、具体的には、
スクランブリング処理を受けた同期信号に従ってベースバンド信号を獲得すること
である。
【００３５】
第3の態様の第2の可能な実施態様に関連して、第3の態様の第3の可能な実施態様において、第1のプロセッサは、
同期信号の長さに従って1つまたは複数の第2のシーケンスの1つまたは複数の長さを決定し、
1つまたは複数の第2のシーケンスに対応する1つまたは複数の第2の事前設定値であって、すべての第2のシーケンスが1つの第2の事前設定値または異なる第2の事前設定値に対応しており、グループ内のすべての同期ソースに対応するスクランブリングシーケンスの第2の事前設定値が同じである、1つまたは複数の第2の事前設定値を決定し、
スクランブリングシーケンスを生成するために、第2の事前設定値に従って各第2のシーケンスに対して循環シフトを実行する
ようにさらに構成されている。
【００３６】
第3の態様の第3の可能な実施態様に関連して、第3の態様の第4の可能な実施態様において、複数のスクランブリングシーケンスがあるときに、少なくとも1つのスクランブリングシーケンスはグループ内の1つの第2の事前設定値に対応しており、その他のスクランブリングシーケンスは異なる第2の事前設定値に対応している。
【００３７】
第3の態様の第3または第4の可能な実施態様に関連して、第3の態様の第5の可能な実施態様において、第1の事前設定値または第2の事前設定値のどちらかはグループ識別情報に従って決定される。
【００３８】
第3の態様の第5の可能な実施態様に関連して、第3の態様の第6の可能な実施態様において、事前設定値は第1の事前設定値および第2の事前設定値を含み、第1のプロセッサは、
次式に従って事前設定値を求めるようにさらに構成されており：
f（NGID）＝a＊NGID＋b、または
f（NGID）＝（a＊NGID＋b）mod K
式中、NGIDはグループ識別情報を表し、aおよびbは事前定義された定数であり、f（NGID）は事前設定値を表し、Kはシステムによって定義された定数であり、modはモジュロ演算を表す。
【００３９】
第3の態様の第5または第6の可能な実施態様に関連して、第3の態様の第7の可能な実施態様において、グループ識別情報は、プライマリ・デバイス・ツー・デバイス同期信号PD2DSS指示情報の関数であり、またはネットワークによって配信される第1の制御命令において搬送され、または送信デバイスによって配信される第2の制御命令において搬送され、またはネットワークによって暗黙的に指示される。
【００４０】
第3の態様の第1から第7の可能な実施態様のいずれか1つに関連して、第3の態様の第8の可能な実施態様において、異なる第1のシーケンスについて、第1のプロセッサは、
すべての第1のシーケンスに対応する第1の事前設定値に従って同期信号のIDを決定し、または
プライマリ・デバイス・ツー・デバイス同期信号PD2DSS識別情報およびすべての第1のシーケンスに対応する第1の事前設定値に従って同期信号のIDを決定し、または
すべての第1のシーケンスの第1の事前設定値のいずれか1つに従って同期信号のIDを決定し、または
PD2DSS識別情報およびすべての第1のシーケンスの第1の事前設定値のいずれか1つに従って同期信号のIDを決定する
ようにさらに構成されている。
【００４１】
第3の態様または第3の態様の第1から第8の可能な実施態様のいずれか1つに関連して、第3の態様の第9の可能な実施態様において、第1のプロセッサが同期信号に従ってベースバンド信号を獲得するように構成されていることは、具体的には、
第1のプロセッサが、周波数領域信号を獲得するために、同期信号をサブキャリアにマップし、周波数領域信号に従って時間領域信号を獲得するように構成されていること、である。
【００４２】
第3の態様の第9の可能な実施態様に関連して、第3の態様の第10の可能な実施態様において、同期信号は少なくとも1つの第1の同期信号および少なくとも1つの第2の同期信号を含み、すべての第1の同期信号およびすべての第2の同期信号に対応する第1のシーケンスは同じであり、または異なり、第1のプロセッサが、周波数領域信号を獲得するために、同期信号をサブキャリアにマップするように構成されていることは、具体的には、
第1のプロセッサが、周波数領域信号を獲得するために、すべての第1の同期信号をすべての第1の同期信号に対応する第1の位置にそれぞれマップし、すべての第2の同期信号をすべての第2の同期信号に対応する第2の位置にそれぞれマップするように構成されており、すべての第1の同期信号に対応する第1の位置およびすべての第2の同期信号に対応する第2の位置は1つのサブフレームにおけるそれぞれ異なるシンボル位置であり、またはすべての第1の同期信号に対応する第1の位置およびすべての第2の同期信号に対応する第2の位置はそれぞれ異なるサブフレーム内のものであること、である。
【００４３】
第3の態様の第10の可能な実施態様に関連して、第3の態様の第11の可能な実施態様において、同期信号は少なくとも1つの第3の同期信号をさらに含み、第3の同期信号に対応するシーケンスは、第1の同期信号または第2の同期信号に対応するシーケンスと同じであり、または異なり、第1のプロセッサが、周波数領域信号を獲得するために、同期信号をサブキャリアにマップするように構成されていることは、具体的には、
第1のプロセッサが、周波数領域信号を獲得するために、すべての第3の同期信号をすべての第3の同期信号に対応する第3の位置にそれぞれマップするように構成されており、すべての第3の同期信号に対応する第3の位置、すべての第1の同期信号に対応する第1の位置、およびすべての第2の同期信号に対応する第2の位置がそれぞれ1つのサブフレームにおける異なるシンボル位置であり、または、すべての第1の同期信号に対応する第1の位置、すべての第2の同期信号に対応する第2の位置、およびすべての第3の同期信号に対応する第3の位置がそれぞれ異なるサブフレーム内のものであること、である。
【００４４】
第3の態様または第3の態様の第1から第11の可能な実施態様のいずれか1つに関連して、第3の態様の第12の可能な実施態様において、シーケンスは、mシーケンス、ZCシーケンス、またはこれらの組み合わせに従って生成される。
【００４５】
第3の態様または第3の態様の第1から第12の可能な実施態様のいずれか1つに関連して、第3の態様の第13の可能な実施態様において、シーケンスが31の長さを有するmシーケンスである場合、1つまたは複数のシーケンスの原始多項式は以下の多項式のいずれか1つまたは任意の組み合わせであり：
【数２２】
0006507436.tif 000023
式中、
【数２３】
0006507436.tif 000024
mod 2は2による除算のモジュロ演算を表す。
【００４６】
第3の態様または第3の態様の第1から第12の可能な実施態様のいずれか1つに関連して、第3の態様の第14の可能な実施態様において、シーケンスが63の長さを有するmシーケンスである場合、1つまたは複数のシーケンスの原始多項式は以下の多項式のいずれか1つまたは任意の組み合わせであり：
【数２４】
0006507436.tif 000025
式中、
【数２５】
0006507436.tif 000026
mod 2は2による除算のモジュロ演算を表す。
【００４７】
第3の態様の第10から第14の可能な実施態様のいずれか1つに関連して、第3の態様の第15の可能な実施態様において、第1のプロセッサが周波数領域信号に従って時間領域信号を獲得するように構成されていることは、具体的には、
第1のプロセッサが、直交周波数分割多重化OFDMによって周波数領域信号からベースバンド信号を獲得するように構成されており、または
第1のプロセッサが、シングルキャリア周波数分割多元接続SC-FDMAによって周波数領域信号からベースバンド信号を獲得するように構成されていること、である。
【００４８】
第3の態様の第15の可能な実施態様に関連して、第3の態様の第16の可能な実施態様において、第1のプロセッサが、OFDMによって周波数領域信号からベースバンド信号を獲得するように構成されていることは、具体的には、
第1のプロセッサが、次式に従ってベースバンド信号を獲得するように構成されていること、であり：
【数２６】
0006507436.tif 000027
式中、tはベースバンド信号s（t）の時間独立変数を表し、
【数２７】
0006507436.tif 000028
であり、Δfはサブキャリア間隔であり、akは周波数領域データが対応するサブキャリアにマップされた後で獲得される値であり、
【数２８】
0006507436.tif 000029
であり、式中、
【数２９】
0006507436.tif 000030
はシステム帯域幅のために構成されたリソースブロックRBの数を表し、
【数３０】
0006507436.tif 000031
は周波数領域におけるリソースブロックのサイズを表し、
【数３１】
0006507436.tif 000032
は切り捨て演算を表し、Nはシステム帯域幅のために構成されたサブキャリアの数である。
【００４９】
第3の態様の第15の可能な実施態様に関連して、第3の態様の第17の可能な実施態様において、第1のプロセッサが、SC-FDMAによって周波数領域信号からベースバンド信号を獲得するように構成されていることは、具体的には、
第1のプロセッサが、次式に従ってベースバンド信号を獲得するように構成されていること、であり：
【数３２】
0006507436.tif 000033
式中、tはベースバンド信号s（t）の時間独立変数を表し、
【数３３】
0006507436.tif 000034
であり、Δfはサブキャリア間隔であり、akは周波数領域データが対応するサブキャリアにマップされた後で獲得される値であり、
【数３４】
0006507436.tif 000035
であり、式中、
【数３５】
0006507436.tif 000036
はシステム帯域幅のために構成されたリソースブロックRBの数を表し、
【数３６】
0006507436.tif 000037
は周波数領域におけるリソースブロックのサイズを表し、
【数３７】
0006507436.tif 000038
は切り捨て演算を表し、Nはシステム帯域幅のために構成されたサブキャリアの数である。
【００５０】
第3の態様の第17の可能な実施態様に関連して、第3の態様の第18の可能な実施態様において、第1のプロセッサは、
変換信号を獲得するために、同期信号に対して離散フーリエ変換DFTを実行する
ようにさらに構成されており、
第1のプロセッサが、ベースバンド信号を獲得するために、SC-FDMAによって同期信号をサブキャリアにマップするように構成されていることは、具体的には、
第1のプロセッサが、ベースバンド信号を獲得するために、SC-FDMAによって変換信号をサブキャリアにマップするように構成されていること、である。
【００５１】
第3の態様の第18の可能な実施態様に関連して、第3の態様の第19の可能な実施態様において、第1のプロセッサが、変換信号を獲得するために、同期信号に対してDFTを実行するように構成されていることは、具体的には、
第1のプロセッサが、次式に従って変換信号を獲得するように構成されていること、であり：
【数３８】
0006507436.tif 000039
式中、lは同期信号d（l）の独立変数を表し、Lは同期信号の長さであり、b（n）は同期信号に対してDFTが実行された後で獲得される変換信号を表し、0≦n≦L−1であり、jは虚数単位を表す。
【００５２】
第3の態様または第3の態様の第1から第19の可能な実施態様のいずれか1つに関連して、第3の態様の第20の可能な実施態様において、第1の送信機は、
ベースバンド信号に対する無線周波数変換を実行した後で無線周波数信号を獲得し、
事前設定期間が到来したときに無線周波数信号を送出する
ように特に構成されている。
【００５３】
第4の態様によれば、本発明の一実施態様は同期信号受信デバイスを提供し、本デバイスは、
同期信号を受信するように構成された、受信機であって、同期信号は1つまたは複数のシーケンスに従って送信端によって生成され、1つまたは複数のシーケンスの1つまたは複数の長さは同期信号の長さに従って決定される、受信機と、
同期信号の送信端と受信端との間の同期を得るために、受信機によって受信された同期信号を検出するように構成された、第2のプロセッサと、
を含む。
【００５４】
第4の態様に関連して、第4の態様の第1の可能な実施態様において、シーケンスは、mシーケンス、ZCシーケンス、またはこれらの組み合わせに従って生成される。
【００５５】
第4の態様または第4の態様の第1の可能な実施態様に関連して、第4の態様の第2の可能な実施態様において、シーケンスが31の長さを有するmシーケンスである場合、1つまたは複数のシーケンスを生成するための原始多項式は以下の多項式のいずれか1つまたは任意の組み合わせであり：
【数３９】
0006507436.tif 000040
式中、
【数４０】
0006507436.tif 000041
mod 2は2による除算のモジュロ演算を表す。
【００５６】
第4の態様または第4の態様の第1の可能な実施態様に関連して、第4の態様の第3の可能な実施態様において、シーケンスが63の長さを有するmシーケンスである場合、1つまたは複数のシーケンスを生成するための原始多項式は以下の多項式のいずれか1つまたは任意の組み合わせであり：
【数４１】
0006507436.tif 000042
式中、
【数４２】
0006507436.tif 000043
mod 2は2による除算のモジュロ演算を表す。
【００５７】
第4の態様または第4の態様の第1から第3の可能な実施態様のいずれか1つに関連して、第4の態様の第4の可能な実施態様において、受信デバイスは第2の送信機をさらに含み、第2のプロセッサは、
事前設定基準に従って、受信機が同期信号を受信するかどうか検出し、
同期信号が検出されない場合、第2の送信機をトリガして、本受信デバイスによって生成された同期信号を別の受信端へ送信させる
ようにさらに構成されている。
【００５８】
第5の態様によれば、本発明の一実施態様は同期信号送信方法を提供し、本方法は、
1つまたは複数のシーケンスに従って同期信号を生成するステップであって、1つまたは複数のシーケンスの1つまたは複数の長さは同期信号の長さに従って決定される、ステップと、
同期信号に従ってベースバンド信号を獲得するステップと、
無線周波数変換を実行した後でベースバンド信号を送出するステップと、
を含む。
【００５９】
第5の態様に関連して、第5の態様の第1の可能な実施態様において、シーケンスは第1のシーケンスを含み、1つまたは複数のシーケンスに従って同期信号を生成するステップは、
同期信号の長さに従って1つまたは複数の第1のシーケンスの1つまたは複数の長さを決定ステップと、
1つまたは複数の第1のシーケンスに対応する1つまたは複数の第1の事前設定値を決定するステップであって、各第1のシーケンスに対応する第1の事前設定値が独立している、ステップと、
同期信号を生成するために、1つまたは複数の第1の事前設定値に従って1つまたは複数の第1のシーケンスの循環シフトを実行するステップと、
を含む。
【００６０】
第5の態様の第1の可能な実施態様に関連して、第5の態様の第2の可能な実施態様において、シーケンスは第2のシーケンスをさらに含み、1つまたは複数のシーケンスに従って同期信号を生成するステップは、
1つまたは複数の第2のシーケンスに従ってスクランブリングシーケンスを生成するステップと、
スクランブリングシーケンスを用いて、同期信号に対して少なくとも1回スクランブリング処理を実行するステップと、
をさらに含み、
同期信号に従ってベースバンド信号を獲得するステップは、具体的には、
スクランブリング処理を受けた同期信号に従ってベースバンド信号を獲得するステップ
である。
【００６１】
第5の態様の第2の可能な実施態様に関連して、第5の態様の第3の可能な実施態様において、1つまたは複数の第2のシーケンスに従ってスクランブリングシーケンスを生成するステップは、
同期信号の長さに従って1つまたは複数の第2のシーケンスの1つまたは複数の長さを決定するステップと、
1つまたは複数の第2のシーケンスに対応する1つまたは複数の第2の事前設定値を決定するステップであって、すべての第2のシーケンスが1つの第2の事前設定値または異なる第2の事前設定値に対応しており、グループ内のすべての同期ソースに対応するスクランブリングシーケンスの第2の事前設定値が同じである、ステップと、
スクランブリングシーケンスを生成するために、第2の事前設定値に従って各第2のシーケンスに対して循環シフトを実行するステップと、
を含む。
【００６２】
第5の態様の第3の可能な実施態様に関連して、第5の態様の第4の可能な実施態様において、複数のスクランブリングシーケンスがあるときに、少なくとも1つのスクランブリングシーケンスはグループ内の1つの第2の事前設定値に対応しており、その他のスクランブリングシーケンスは異なる第2の事前設定値に対応している。
【００６３】
第5の態様の第3または第4の可能な実施態様に関連して、第5の態様の第5の可能な実施態様において、第1の事前設定値または第2の事前設定値のどちらかはグループ識別情報に従って決定される。
【００６４】
第5の態様の第5の可能な実施態様に関連して、第5の態様の第6の可能な実施態様において、事前設定値は第1の事前設定値および第2の事前設定値を含み、グループ識別情報に従って事前設定値を決定するステップは、具体的には、
次式に従って事前設定値を求めるステップ、であり：
f（NGID）＝a＊NGID＋b、または
f（NGID）＝（a＊NGID＋b）mod K
式中、NGIDはグループ識別情報を表し、aおよびbは事前定義された定数であり、f（NGID）は事前設定値を表し、Kはシステムによって定義された定数であり、modはモジュロ演算を表す。
【００６５】
第5の態様の第5または第6の可能な実施態様に関連して、第5の態様の第7の可能な実施態様において、グループ識別情報は、プライマリ・デバイス・ツー・デバイス同期信号PD2DSS指示情報の関数であり、またはネットワークによって配信される第1の制御命令において搬送され、または送信デバイスによって配信される第2の制御命令において搬送され、またはネットワークによって暗黙的に指示される。
【００６６】
第5の態様の第1から第7の可能な実施態様のいずれか1つに関連して、第5の態様の第8の可能な実施態様において、異なる第1のシーケンスについて、第1のシーケンスにそれぞれ対応する第1の事前設定値と同期信号の識別情報IDとの間の関係は、
すべての第1のシーケンスに対応する第1の事前設定値に従って同期信号のIDを決定すること、または
プライマリ・デバイス・ツー・デバイス同期信号PD2DSS識別情報およびすべての第1のシーケンスに対応する第1の事前設定値に従って同期信号のIDを決定すること、または
すべての第1のシーケンスの第1の事前設定値のいずれか1つに従って同期信号のIDを決定すること、または
PD2DSS識別情報およびすべての第1のシーケンスの第1の事前設定値のいずれか1つに従って同期信号のIDを決定すること
である。
【００６７】
第5の態様または第5の態様の第1から第8の可能な実施態様のいずれか1つに関連して、第5の態様の第9の可能な実施態様において、同期信号に従ってベースバンド信号を獲得するステップは、
周波数領域信号を獲得するために、同期信号をサブキャリアにマップするステップと、
周波数領域信号に従って時間領域信号を獲得するステップと、
を含む。
【００６８】
第5の態様の第9の可能な実施態様に関連して、第5の態様の第10の可能な実施態様において、同期信号は少なくとも1つの第1の同期信号および少なくとも1つの第2の同期信号を含み、すべての第1の同期信号およびすべての第2の同期信号に対応する第1のシーケンスは同じであり、または異なり、周波数領域信号を獲得するために、同期信号をサブキャリアにマップするステップは、
周波数領域信号を獲得するために、すべての第1の同期信号をすべての第1の同期信号に対応する第1の位置にそれぞれマップし、すべての第2の同期信号をすべての第2の同期信号に対応する第2の位置にそれぞれマップするするステップであって、すべての第1の同期信号に対応する第1の位置およびすべての第2の同期信号に対応する第2の位置はそれぞれ1つのサブフレームにおける異なるシンボル位置であり、またはすべての第1の同期信号に対応する第1の位置およびすべての第2の同期信号に対応する第2の位置はそれぞれ異なるサブフレーム内のものである、ステップ
を含む。
【００６９】
第5の態様の第10の可能な実施態様に関連して、第5の態様の第11の可能な実施態様において、同期信号は少なくとも1つの第3の同期信号をさらに含み、第3の同期信号に対応するシーケンスは、第1の同期信号または第2の同期信号に対応するシーケンスと同じであり、または異なり、周波数領域信号を獲得するために、同期信号をサブキャリアにマップするステップは、
周波数領域信号を獲得するために、すべての第3の同期信号をすべての第3の同期信号に対応する第3の位置にそれぞれマップするステップであって、すべての第3の同期信号に対応する第3の位置、すべての第1の同期信号に対応する第1の位置、およびすべての第2の同期信号に対応する第2の位置がそれぞれ1つのサブフレームにおける異なるシンボル位置であり、または、すべての第1の同期信号に対応する第1の位置、すべての第2の同期信号に対応する第2の位置、およびすべての第3の同期信号に対応する第3の位置がそれぞれ異なるサブフレーム内のものである、ステップ
をさらに含む。
【００７０】
第5の態様または第5の態様の第1から第11の可能な実施態様のいずれか1つに関連して、第5の態様の第12の可能な実施態様において、シーケンスは、mシーケンス、ZCシーケンス、またはこれらの組み合わせに従って生成される。
【００７１】
第5の態様または第5の態様の第1から第12の可能な実施態様のいずれか1つに関連して、第5の態様の第13の可能な実施態様において、シーケンスが31の長さを有するmシーケンスである場合、1つまたは複数のシーケンスの原始多項式は以下の多項式のいずれか1つまたは任意の組み合わせであり：
【数４３】
0006507436.tif 000044
式中、
【数４４】
0006507436.tif 000045
mod 2は2による除算のモジュロ演算を表す。
【００７２】
第5の態様または第5の態様の第1から第12の可能な実施態様のいずれか1つに関連して、第5の態様の第14の可能な実施態様において、シーケンスが63の長さを有するmシーケンスである場合、1つまたは複数のシーケンスの原始多項式は以下の多項式のいずれか1つまたは任意の組み合わせであり：
【数４５】
0006507436.tif 000046
式中、
【数４６】
0006507436.tif 000047
mod 2は2による除算のモジュロ演算を表す。
【００７３】
第5の態様の第10から第14の可能な実施態様のいずれか1つに関連して、第5の態様の第15の可能な実施態様において、周波数領域信号に従って時間領域信号を獲得するステップは、
直交周波数分割多重化OFDMによって周波数領域信号からベースバンド信号を獲得するステップ、または
シングルキャリア周波数分割多元接続SC-FDMAによって周波数領域信号からベースバンド信号を獲得するステップ
を含む。
【００７４】
第5の態様の第15の可能な実施態様に関連して、第5の態様の第16の可能な実施態様において、OFDMによって周波数領域信号からベースバンド信号を獲得するステップは、
次式に従ってベースバンド信号を獲得するステップ、を含み：
【数４７】
0006507436.tif 000048
式中、tはベースバンド信号s（t）の時間独立変数を表し、
【数４８】
0006507436.tif 000049
であり、Δfはサブキャリア間隔であり、akは周波数領域データが対応するサブキャリアにマップされた後で獲得される値であり、
【数４９】
0006507436.tif 000050
であり、式中、
【数５０】
0006507436.tif 000051
はシステム帯域幅のために構成されたリソースブロックRBの数を表し、
【数５１】
0006507436.tif 000052
は周波数領域におけるリソースブロックのサイズを表し、
【数５２】
0006507436.tif 000053
は切り捨て演算を表し、Nはシステム帯域幅のために構成されたサブキャリアの数である。
【００７５】
第5の態様の第15の可能な実施態様に関連して、第5の態様の第17の可能な実施態様において、SC-FDMAによって周波数領域信号からベースバンド信号を獲得するステップは、
次式に従ってベースバンド信号を獲得するステップ、を含み：
【数５３】
0006507436.tif 000054
式中、tはベースバンド信号s（t）の時間独立変数を表し、
【数５４】
0006507436.tif 000055
であり、Δfはサブキャリア間隔であり、akは周波数領域データが対応するサブキャリアにマップされた後で獲得される値であり、
【数５５】
0006507436.tif 000056
であり、式中、
【数５６】
0006507436.tif 000057
はシステム帯域幅のために構成されたリソースブロックRBの数を表し、
【数５７】
0006507436.tif 000058
は周波数領域におけるリソースブロックのサイズを表し、
【数５８】
0006507436.tif 000059
は切り捨て演算を表し、Nはシステム帯域幅のために構成されたサブキャリアの数である。
【００７６】
第5の態様の第17の可能な実施態様に関連して、第5の態様の第18の可能な実施態様において、ベースバンド信号を獲得するために、SC-FDMAによって同期信号をサブキャリアにマップするステップの前に、本方法は、
変換信号を獲得するために、同期信号に対して離散フーリエ変換DFTを実行するステップ
をさらに含み、
ベースバンド信号を獲得するために、SC-FDMAによって同期信号をサブキャリアにマップするステップは、具体的には、
ベースバンド信号を獲得するために、SC-FDMAによって変換信号をサブキャリアにマップするステップ
である。
【００７７】
第5の態様の第18の可能な実施態様に関連して、第5の態様の第19の可能な実施態様において、変換信号を獲得するために、同期信号に対してDFTを実行するステップは、
次式に従って変換信号を獲得するステップ、を含み：
【数５９】
0006507436.tif 000060
式中、lは同期信号d（l）の独立変数を表し、Lは同期信号の長さであり、b（n）は同期信号に対してDFTが実行された後で獲得される変換信号を表し、0≦n≦L−1であり、jは虚数単位を表す。
【００７８】
第5の態様または第5の態様の第1から第19の可能な実施態様のいずれか1つに関連して、第5の態様の第20の可能な実施態様において、無線周波数変換を実行した後でベースバンド信号を送出するステップは、
ベースバンド信号に対する無線周波数変換を実行した後で無線周波数信号を獲得するステップと、
事前設定期間が到来したときに無線周波数信号を送出するステップと、
を含む。
【００７９】
第6の態様によれば、本発明の一実施態様は同期信号受信方法を提供し、本方法は、
同期信号を受信するステップであって、同期信号は1つまたは複数のシーケンスに従って送信端によって生成され、1つまたは複数のシーケンスの1つまたは複数の長さは同期信号の長さに従って決定される、ステップと、
同期信号の送信端と受信端との間の同期を得るために、同期信号を検出するステップと、
を含む。
【００８０】
第6の態様に関連して、第6の態様の第1の可能な実施態様において、シーケンスは、mシーケンス、ZCシーケンス、またはこれらの組み合わせに従って生成される。
【００８１】
第6の態様または第6の態様の第1の可能な実施態様に関連して、第6の態様の第2の可能な実施態様において、シーケンスが31の長さを有するmシーケンスである場合、1つまたは複数のシーケンスを生成するための原始多項式は以下の多項式のいずれか1つまたは任意の組み合わせであり：
【数６０】
0006507436.tif 000061
式中、
【数６１】
0006507436.tif 000062
mod 2は2による除算のモジュロ演算を表す。
【００８２】
第6の態様または第6の態様の第1の可能な実施態様に関連して、第6の態様の第3の可能な実施態様において、シーケンスが63の長さを有するmシーケンスである場合、1つまたは複数のシーケンスを生成するための原始多項式は以下の多項式のいずれか1つまたは任意の組み合わせであり：
【数６２】
0006507436.tif 000063
式中、
【数６３】
0006507436.tif 000064
mod 2は2による除算のモジュロ演算を表す。
【００８３】
第6の態様または第6の態様の第1から第3の可能な実施態様のいずれか1つに関連して、第6の態様の第4の可能な実施態様において、本方法は、
事前設定基準に従って、同期信号が受信されるかどうか検出するステップと、
同期信号が検出されない場合、送信端として、受信端によって生成された同期信号を別の受信端へ送信するステップと、
をさらに含む。
【００８４】
D2D通信シナリオにおいて、本発明の実施態様において提供される同期信号間の相互相関の値は小さく、このため同期検出時間を短縮することができる。したがって、同期信号の受信端は同期信号に従って送信端との迅速な同期を実現することができ、それによってシステム性能が改善される。
【００８５】
本発明の実施形態における技術的解決策をより明確に説明するために、以下に、各実施形態または先行技術を説明するのに必要とされる添付の図面について簡単に記述する。当然ながら、以下の説明の添付の図面は、単に、本発明のいくつかの実施形態を示すにすぎず、当業者は、これら添付の図面から難なく他の図面をさらに導出することができる。
【図面の簡単な説明】
【００８６】
【図１】ネットワークカバレッジありの場合と一部ネットワークカバレッジありの場合のD2D通信シナリオの概略図である。
【図２】ネットワークカバレッジなしの場合のD2D通信シナリオの概略図である。
【図３】本発明による同期信号送信装置の第1の実施形態の概略的構造図である。
【図４】本発明による同期信号送信装置の第2の実施形態の概略的構造図である。
【図５】本発明による同期信号受信装置の第1の実施形態の概略的構造図である。
【図６】本発明による同期信号送信デバイスの第1の実施形態の概略的構造図である。
【図７】本発明による同期信号受信デバイスの第1の実施形態の概略的構造図である。
【図８】本発明による同期信号送信方法の第1の実施形態の概略的流れ図である。
【図９】本発明による同期信号送信方法の第2の実施形態におけるSD2DSSの例示図である。
【図１０】本発明による同期信号送信方法の第3の実施形態における通信シナリオの概略図である。
【図１１】本発明による同期信号送信方法の第4の実施形態におけるSD2DSSの例示図である。
【図１２】本発明による同期信号送信方法の第5の実施形態の概略的流れ図である。
【図１３】本発明による同期信号受信方法の第1の実施形態の概略的流れ図である。
【発明を実施するための形態】
【００８７】
以下、本発明の各実施形態における添付の図面を参照して、本発明の各実施形態における技術的解決策を明確に説明する。当然ながら、説明される実施形態は、本発明の実施形態の全部ではなく、その一部にすぎない。本発明の各実施形態に基づいて当業者によって難なく得られる他のすべての実施形態は、本発明の保護範囲内に含まれるものとする。
【００８８】
図1は、ネットワークカバレッジありの場合と一部ネットワークカバレッジありの場合のD2D通信の概略図である。図1に示すように、図1の左側にはネットワークカバレッジありの場合の通信シナリオが示されている。図1において、基地局10によってサービスされるUE、すなわち、UE11、UE12、およびUE13は、ダウンリンクで基地局10によって送信された同期信号を受信し、各UEは前述の同期信号を用いて基地局10と同期する。加えて、UE14およびUE15も基地局10のサービス範囲内にあるが、何らかの理由で、例えば壁や建物の障害物のために、基地局10に無線接続することができない。したがって、UE14がUE15とのD2D通信を開始しようとするときには、ネットワークの支援がないため、UE14は、同期ソースとして、D2DSSを送信し、そのため受信端UE15はD2DSSを用いてUE14と同期される。
【００８９】
UE13は基地局10のサービス範囲内にあるが、UE13はいくつかのUEを検出し、例えば、図1に記載されるUE21はUE13の近くにあり、UE21はネットワークサービス外である領域内にあることにさらに留意すべきである。この場合、UE13は基地局10と同期されているため、UE13は可能な同期ソースとしてより高い優先順位を有する。したがって、UE13はD2DSSを開始するための同期ソースの役割を果たすことができ、そのためUE21はUE13と同期される。同様に、UE21も引き続きD2DSSを送信することができ、そのためUE21に続いてUE22が同期される。
【００９０】
図2は、ネットワークカバレッジなしの場合のD2D通信シナリオの概略図である。図2に示すように、UE31が同期信号を受信しない場合には、UE31は、同期ソースとして、付近のUEへD2DSSを送信し、UE31の近くのUE32、UE33、UE34といったUEはD2DSSを受信する。さらに、UE34はUE35へD2DSSを送信する。しかし、UE30はUE31によって送信されたD2DSSを受信することさえできず、したがってUE30はUE30の近くのUE（例えばUE34）へ別のD2DSSを送信する。
【００９１】
以上の説明からわかるように、D2D通信モードで同期信号を送信するシナリオは、セルラ移動通信システムにおけるシナリオよりも複雑であり、基地局のタイミングを転送する（UE13やUE21といった）同期ソースからの同期信号、および（UE14、UE31、UE30、UE34といった）完全に分散された同期ソースからの同期信号の送信を伴う。
【００９２】
前述の通信シナリオに基づき、特定の実施形態に関連して、以下で、本発明の実施形態において提供される同期信号送信方法、同期信号送信装置、および同期信号送信デバイスを詳細に説明する。
【００９３】
図3は、本発明による同期信号送信装置の第1の実施形態の概略的構造図である。本発明の本実施形態は同期信号送信装置を提供し、本装置は、UEや基地局といった信号送信デバイスに組み込むことができる。図3に示すように、同期信号送信装置30は、同期信号生成モジュール31と、ベースバンド信号獲得モジュール32と、第1の送信モジュール33とを含む。
【００９４】
同期信号生成モジュール31は、1つまたは複数のシーケンスに従って同期信号を生成するように構成されており、1つまたは複数のシーケンスの1つまたは複数の長さは同期信号の長さに従って決定される。ベースバンド信号獲得モジュール32は、同期信号生成モジュール31によって生成された同期信号に従ってベースバンド信号を獲得するように構成されている。第1の送信モジュール33は、無線周波数変換を実行した後で、ベースバンド信号獲得モジュール32によって獲得されたベースバンド信号を送出するように構成されている。
【００９５】
本実施形態の装置は図8に示す方法実施形態の技術的解決策を実行するように構成することができ、技術的解決策の実現原理および技術的効果は本実施形態のものと同様であり、ここではさらに説明しない。
【００９６】
前述の実施形態において、シーケンスは第1のシーケンスを含み、同期信号生成モジュール31は、同期信号の長さに従って1つまたは複数の第1のシーケンスの1つまたは複数の長さを決定し、1つまたは複数の第1のシーケンスに対応する1つまたは複数の第1の事前設定値であって、各第1のシーケンスに対応する第1の事前設定値が独立している、1つまたは複数の第1の事前設定値を決定し、同期信号を生成するために、1つまたは複数の第1の事前設定値に従って1つまたは複数の第1のシーケンスに対して循環シフトを実行するように構成された、同期信号生成部、を含むことができる。
【００９７】
さらに、シーケンスは第2のシーケンスをさらに含み、同期信号生成モジュール31は、1つまたは複数の第2のシーケンスに従ってスクランブリングシーケンスを生成し、スクランブリングシーケンスを用いて、同期信号生成部によって生成された同期信号に対して少なくとも1回スクランブリング処理を実行するように構成された、スクランブリング部、をさらに含むことができる。ベースバンド信号獲得モジュール32は、スクランブリング部によって実行されるスクランブリング処理を受けた同期信号に従ってベースバンド信号を獲得するように特に構成することができる。本実施形態では、同期信号のピーク対平均値比を、前述のスクランブリングシーケンスを用いて低減させることができる。
【００９８】
任意選択で、スクランブリング部は、同期信号の長さに従って1つまたは複数の第2のシーケンスの1つまたは複数の長さを決定し、1つまたは複数の第2のシーケンスに対応する1つまたは複数の第2の事前設定値であって、すべての第2のシーケンスが1つの第2の事前設定値または異なる第2の事前設定値に対応しており、グループ内のすべての同期ソースに対応するスクランブリングシーケンスの第2の事前設定値が同じである、1つまたは複数の第2の事前設定値を決定し、スクランブリングシーケンスを生成するために、第2の事前設定値に従って各第2のシーケンスに対して循環シフトを実行するように特に構成することもできる。本発明の本実施形態では、スクランブリングシーケンスに対応する循環シフト値（すなわち、第2の事前設定値）がグループ識別情報に従って獲得される。D2Dグループにおいて、異なる同期信号に用いられるスクランブリングシーケンスは、グループ内の同期信号間の関連性能を高め、グループ間同期信号の構成の拡張性を提供するように、1つの循環シフトを有する。さらに、複数のスクランブリングシーケンスがあるときに、少なくとも1つのスクランブリングシーケンスはグループ内の1つの第2の事前設定値に対応しており、その他のスクランブリングシーケンスは異なる第2の事前設定値に対応している。加えて、異なるD2Dグループ内のスクランブリングシーケンスの循環シフトを明示的に、または暗黙的に指示することもできる。
【００９９】
本発明の任意の実施形態において、第1の事前設定値または第2の事前設定値のどちらかはグループ識別情報に従って決定され、シーケンスは、mシーケンス、ZCシーケンス、またはこれらの組み合わせに従って生成されることにさらに留意すべきである。すなわち、同期信号はmシーケンスに従って生成され、または同期信号はZCシーケンスに従って生成され、または同期信号はmシーケンスとZCシーケンスの両方に従って生成される。
【０１００】
特定のシーケンス長値Qを有するZCシーケンスについて、異なるルートシーケンス番号uは異なるZCシーケンスに対応している。
【０１０１】
mシーケンスは、最長期間を有し、m段シフトレジスタによって生成されうるシーケンスである。mシーケンスの長さは2m−1であり、すなわち、mシーケンスの長さは、7、15、31、63、127、255などとすることができる。mシーケンスは2進シーケンスである。
【０１０２】
以上に基づき、事前設定値は第1の事前設定値および第2の事前設定値を含み、同期信号生成部およびスクランブリング部は、次式に従って事前設定値を求めるようにさらに構成することができるものと仮定し：
f（NGID）＝a＊NGID＋b、または
f（NGID）＝（a＊NGID＋b）mod K
式中、NGIDはグループ識別情報を表し、aおよびbは事前定義された定数であり、f（NGID）は事前設定値を表し、Kはシステムによって定義された定数であり、modはモジュロ演算を表す。
【０１０３】
前述の実施形態において、グループ識別情報は、PD2DSS指示情報の関数であり、またはネットワークによって配信される第1の制御命令において搬送され、または送信デバイスによって配信される第2の制御命令において搬送され、またはネットワークによって暗黙的に指示される。具体的には、ネットワークカバレッジありのD2Dシナリオにおいて、第1の制御命令はネットワークを用いてD2D同期信号送信端へ送信することができる。第1の制御命令はグループ識別情報を搬送する。任意選択で、グループ識別情報はネットワークによって配信される第1の制御命令で搬送することもできる。例えば、LTEシステムにおいて、第1の制御命令は、セルラリンクを用いてダウンリンクにおいて進化型ノードB（Evolved Node B、略称：eNB）によって送信されるダウンリンク制御情報（Downlink Control Information、略称：DCI）または無線リソース制御（Radio Resource Control、略称：RRC）シグナリングとすることができる。ネットワークが異なるD2D同期信号送信端について1つのグループ識別情報を構成する場合、それらのD2D同期信号送信端は1つのグループに属する。ネットワークが異なるD2D同期信号送信端について異なるグループ識別情報を構成する場合、それらのD2D同期信号送信端は異なるグループに属する。任意選択で、グループ識別情報は、スケジューリング割り当て（Scheduling Assignment、略称：SA）シグナリングを受信するUEに同期信号のグループ識別情報を生成するよう命令するために、D2Dで用いられる制御シグナリングであるSAで搬送される識別情報とすることもできる。
【０１０４】
加えて、異なる第1のシーケンスについて、同期信号生成部は、すべての第1のシーケンスに対応する第1の事前設定値に従って同期信号のIDを決定し、または、PD2DSS識別情報およびすべての第1のシーケンスに対応する第1の事前設定値に従って同期信号の識別情報IDを決定し、または、すべての第1のシーケンスの第1の事前設定値のいずれか1つに従って同期信号のIDを決定し、または、PD2DSS識別情報およびすべての第1のシーケンスの第1の事前設定値のいずれか1つに従って同期信号のIDを決定するようにさらに構成することもできる。
【０１０５】
任意選択で、ベースバンド信号獲得モジュール32は、周波数領域信号を獲得するために、同期信号をサブキャリアにマップするように構成された、マッピング部と、マッピング部によって獲得された周波数領域信号に従って時間領域信号を獲得するように構成された、獲得部と、を含むこともできる。
【０１０６】
周波数領域信号を獲得するために、同期信号をサブキャリアにマップすることは、具体的には、すべてのシーケンスに対応する周波数領域サブキャリア信号を獲得し、周波数領域信号をさらに獲得するために、同期信号に含まれるすべてのシーケンスをサブキャリアに別々にマップすること、とすることができ、周波数領域信号は周波数領域サブキャリア信号を含む。例えば、31の長さを有する2つのシーケンスが、奇数サブキャリアと偶数サブキャリアとにそれぞれマップされてもよく、または、31の連続するサブキャリアを別々に占有してもよく、または、別の方法で1対1対応関係として全部で62のサブキャリアにマップされてもよい。63の長さを有するシーケンスについて、シーケンスを63のサブキャリアにマップするための方法は、前述の例における方法と同様である。63の長さを有するシーケンスは、63の連続するサブキャリアにマップされてもよく、または、任意の他の方法を用いて1対1対応関係として63のサブキャリアにマップされてもよい。
【０１０７】
1つの実行可能なマッピング方法において、同期信号は少なくとも1つの第1の同期信号および少なくとも1つの第2の同期信号を含み、すべての第1の同期信号およびすべての第2の同期信号に対応する第1のシーケンスは同じであり、または異なる。マッピング部は、周波数領域信号を獲得するために、すべての第1の同期信号をすべての第1の同期信号に対応する第1の位置にそれぞれマップし、すべての第2の同期信号をすべての第2の同期信号に対応する第2の位置にそれぞれマップするように特に構成することができ、すべての第1の同期信号に対応する第1の位置およびすべての第2の同期信号に対応する第2の位置は1つのサブフレームにおけるそれぞれ異なるシンボル位置であり、またはすべての第1の同期信号に対応する第1の位置およびすべての第2の同期信号に対応する第2の位置はそれぞれ異なるサブフレーム内のものである。
【０１０８】
別の実行可能なマッピング方法において、同期信号は少なくとも1つの第3の同期信号をさらに含むことができ、第3の同期信号に対応するシーケンスは、第1の同期信号または第2の同期信号に対応するシーケンスと同じであり、または異なる。マッピング部は、周波数領域信号を獲得するために、すべての第3の同期信号をすべての第3の同期信号に対応する第3の位置にそれぞれマップするようにさらに構成することができ、すべての第3の同期信号に対応する第3の位置、すべての第1の同期信号に対応する第1の位置、およびすべての第2の同期信号に対応する第2の位置はそれぞれ1つのサブフレームにおける異なるシンボル位置であり、または、すべての第1の同期信号に対応する第1の位置、すべての第2の同期信号に対応する第2の位置、およびすべての第3の同期信号に対応する第3の位置はそれぞれ異なるサブフレーム内のものである。
【０１０９】
加えて、同期信号を生成するためのシーケンスの数は、同期信号によって用いられうるシーケンスの長さに依存する。ある長さの1つまたは複数のシーケンスが、同期信号を生成するために、同期信号の長さに従って決定される。例えば、同期信号の長さは72を超えず、mシーケンスが用いられる場合、シーケンスの好ましい長さは62または63である。同期信号の長さが62であるときには、62の長さを有する同期信号は31の長さを有する2つのmシーケンスを用いて生成されうると判定され、または、同期信号の長さが63であるときには、63の長さを有する同期信号は63の長さを有する1つのmシーケンスを用いて生成されうると判定される。他の類似した事例についてはここで1つ1つ記載しない。
【０１１０】
本発明の本実施形態の実際の応用において、シーケンスが31の長さを有するmシーケンスである場合、1つまたは複数のシーケンスの原始多項式は以下の多項式のいずれか1つまたは任意の組み合わせであり：
【数６４】
0006507436.tif 000065
式中、
【数６５】
0006507436.tif 000066
mod 2は2による除算のモジュロ演算を表す。
【０１１１】
本発明の本実施形態の別の実際の応用において、シーケンスが63の長さを有するmシーケンスである場合、1つまたは複数のシーケンスの原始多項式は以下の多項式のいずれか1つまたは任意の組み合わせであり：
【数６６】
0006507436.tif 000067
式中、
【数６７】
0006507436.tif 000068
mod 2は2による除算のモジュロ演算を表す。
【０１１２】
さらに、獲得部は、OFDMによって周波数領域信号からベースバンド信号を獲得し、または、SC-FDMAによって周波数領域信号からベースバンド信号を獲得するように特に構成することができる。
【０１１３】
獲得部がOFDMによって周波数領域信号からベースバンド信号を獲得するときに、獲得部は、次式に従ってベースバンド信号を獲得するように特に構成されており：
【数６８】
0006507436.tif 000069
式中、tはベースバンド信号s（t）の時間独立変数を表し、
【数６９】
0006507436.tif 000070
であり、Δfはサブキャリア間隔であり、akは周波数領域データが対応するサブキャリアにマップされた後で獲得される値であり、
【数７０】
0006507436.tif 000071
であり、式中、
【数７１】
0006507436.tif 000072
はシステム帯域幅のために構成されたリソースブロック（Resource Block、略称：RB）の数を表し、
【数７２】
0006507436.tif 000073
は周波数領域におけるリソースブロックのサイズを表し、
【数７３】
0006507436.tif 000074
は切り捨て演算を表し、Nはシステム帯域幅のために構成されたサブキャリアの数である。
【０１１４】
獲得部がSC-FDMAによって周波数領域信号からベースバンド信号を獲得するときに、獲得部は、次式に従ってベースバンド信号を獲得するように特に構成されており：
【数７４】
0006507436.tif 000075
式中、tはベースバンド信号s（t）の時間独立変数を表し、
【数７５】
0006507436.tif 000076
であり、Δfはサブキャリア間隔であり、akは周波数領域データが対応するサブキャリアにマップされた後で獲得される値であり、
【数７６】
0006507436.tif 000077
であり、式中、
【数７７】
0006507436.tif 000078
はシステム帯域幅のために構成されたRBの数を表し、
【数７８】
0006507436.tif 000079
は周波数領域におけるリソースブロックのサイズを表し、
【数７９】
0006507436.tif 000080
は切り捨て演算を表し、Nはシステム帯域幅のために構成されたサブキャリアの数である。
【０１１５】
図4は、本発明による同期信号送信装置の第2の実施形態の概略的構造図である。図4に示すように、本実施形態は図3に示す実施形態に基づくものである。さらに、装置40は、変換信号を獲得するために、同期信号に対してDFTを実行するように構成された、変換モジュール41、をさらに含むことができる。獲得部は、ベースバンド信号を獲得するために、SC-FDMAによって変換信号をサブキャリアにマップするように構成されている。
【０１１６】
本実施形態の装置は図12に示す方法実施形態の技術的解決策を実行するように構成することができ、技術的解決策の実現原理および技術的効果は本実施形態のものと同様であり、ここではさらに説明しない。
【０１１７】
本実施形態において、変換モジュール41は、次式に従って変換信号を獲得するように特に構成することができ：
【数８０】
0006507436.tif 000081
式中、lは同期信号d（l）の独立変数を表し、Lは同期信号の長さであり、b（n）は同期信号に対してDFTが実行された後で獲得される変換信号を表し、0≦n≦L−1であり、jは虚数単位を表す。
【０１１８】
前述の実施形態に基づき、第1の送信モジュール33は、ベースバンド信号に対する無線周波数変換を実行した後で無線周波数信号を獲得し、事前設定期間が到来したときに無線周波数信号を送出するように特に構成することができる。
【０１１９】
D2D通信シナリオにおいて、本発明の本実施形態で提供される同期信号送信装置によって生成される同期信号間の相互相関の値は比較的小さく、このため同期信号の受信端の同期検出時間を短縮することができる。したがって、同期信号の受信端は同期信号に従って送信端との迅速な同期を実現することができ、それによってシステム性能が改善される。
【０１２０】
図5は、本発明による同期信号受信装置の第1の実施形態の概略的構造図である。本発明の本実施形態は同期信号受信装置を提供し、本装置は、UEや基地局といった信号受信デバイスに組み込むことができる。図5に示すように、同期信号受信装置50は、受信モジュール51と、処理モジュール52とを含む。
【０１２１】
受信モジュール51は、同期信号を受信するように構成されており、同期信号は1つまたは複数のシーケンスに従って送信端によって生成され、1つまたは複数のシーケンスの1つまたは複数の長さは同期信号の長さに従って決定される。処理モジュール52は、同期信号の送信端との同期を得るために、受信モジュール51によって受信された同期信号を検出するように構成されている。
【０１２２】
本実施形態の同期信号受信装置と図3または図4に示す送信装置とは対応して配置される。送信装置によって送信された同期信号を受信した後で、本受信装置は、D2D通信を行うために、送信装置との同期を実現する。加えて、送信装置と受信装置とは、別々に独立して配置することもでき、または1台の通信デバイス（例えば携帯電話）に組み込むこともでき、すなわち、1台の通信デバイスが送信装置と受信装置の両方として働くことができる。
【０１２３】
本実施形態の装置は図13に示す方法実施形態の技術的解決策を実行するように構成することができ、技術的解決策の実現原理および技術的効果は本実施形態のものと同様であり、ここではさらに説明しない。
【０１２４】
前述の実施形態において、シーケンスは、mシーケンス、ZCシーケンス、またはこれらの組み合わせに従って生成することができる。
【０１２５】
任意選択で、シーケンスが31の長さを有するmシーケンスである場合、1つまたは複数のシーケンスを生成するための原始多項式は以下の多項式のいずれか1つまたは任意の組み合わせであり：
【数８１】
0006507436.tif 000082
式中、
【数８２】
0006507436.tif 000083
mod 2は2による除算のモジュロ演算を表す。
【０１２６】
任意選択で、シーケンスが63の長さを有するmシーケンスである場合、1つまたは複数のシーケンスを生成するための原始多項式は以下の多項式のいずれか1つまたは任意の組み合わせであり：
【数８３】
0006507436.tif 000084
式中、
【数８４】
0006507436.tif 000085
mod 2は2による除算のモジュロ演算を表す。
【０１２７】
以上に基づき、装置50は第2の送信モジュールをさらに含むことができ、処理モジュール52は、事前設定基準に従って、受信モジュール51が同期信号を受信するかどうか検出し、同期信号が検出されない場合、第2の送信モジュールをトリガして、本装置によって生成された同期信号を別の受信端へ送信させるようにさらに構成することができる。任意選択で、本実施形態において、第2の送信モジュールは、独立して配置することもでき、または、受信モジュール51と統合することもでき、これについては本発明では限定されない。
【０１２８】
図6は、本発明による同期信号送信デバイスの第1の実施形態の概略的構造図である。本発明の本実施形態は同期信号送信デバイスを提供し、本デバイスはUEや基地局といった信号送信デバイスに統合させることができる。図6に示すように、同期信号送信デバイス60は、第1のプロセッサ61と、第1の送信機62とを含む。
【０１２９】
第1のプロセッサ61は1つまたは複数のシーケンスに従って同期信号を生成するように構成されており、1つまたは複数のシーケンスの1つまたは複数の長さは同期信号の長さに従って決定され、第1のプロセッサ61は同期信号に従ってベースバンド信号を獲得するように構成されている。第1の送信機62は、無線周波数変換を実行した後で、第1のプロセッサ61によって獲得されたベースバンド信号を送出するように構成されている。
【０１３０】
本実施形態のデバイスは図8または図12に示す方法実施形態の技術的解決策を実行するように構成することができ、技術的解決策の実現原理および技術的効果は本実施形態のものと同様であり、ここではさらに説明しない。
【０１３１】
前述の実施形態において、シーケンスは第1のシーケンスを含むことができ、第1のプロセッサ61は、同期信号の長さに従って1つまたは複数の第1のシーケンスの1つまたは複数の長さを決定し、1つまたは複数の第1のシーケンスに対応する1つまたは複数の第1の事前設定値であって、各第1のシーケンスに対応する第1の事前設定値が独立している、第1の事前設定値を決定し、同期信号を生成するために、1つまたは複数の第1の事前設定値に従って1つまたは複数の第1のシーケンスの循環シフトを実行するように特に構成することができる。
【０１３２】
任意選択で、シーケンスは第2のシーケンスをさらに含むことができ、第1のプロセッサ61は、1つまたは複数の第2のシーケンスに従ってスクランブリングシーケンスを生成し、スクランブリングシーケンスを用いて、同期信号に対して少なくとも1回スクランブリング処理を実行するようにさらに構成することができる。同期信号に従ってベースバンド信号を獲得することは、具体的には、スクランブリング処理を受けた同期信号に従ってベースバンド信号を獲得すること、である。
【０１３３】
さらに、第1のプロセッサ61が1つまたは複数の第2のシーケンスに従ってスクランブリングシーケンスを生成する特定のプロセスは、同期信号の長さに従って1つまたは複数の第2のシーケンスの1つまたは複数の長さを決定することと、1つまたは複数の第2のシーケンスに対応する1つまたは複数の第2の事前設定値であって、すべての第2のシーケンスが1つの第2の事前設定値または異なる第2の事前設定値に対応しており、グループ内のすべての同期ソースに対応するスクランブリングシーケンスの第2の事前設定値が同じである、1つまたは複数の第2の事前設定値を決定することと、スクランブリングシーケンスを生成するために、第2の事前設定値に従って各第2のシーケンスに対して循環シフトを実行することと、である。
【０１３４】
さらに、複数のスクランブリングシーケンスがあるときに、少なくとも1つのスクランブリングシーケンスはグループ内の1つの第2の事前設定値に対応しており、その他のスクランブリングシーケンスは異なる第2の事前設定値に対応している。
【０１３５】
第1の事前設定値または第2の事前設定値のどちらかはグループ識別情報に従って決定される。事前設定値は第1の事前設定値および第2の事前設定値を含み、第1のプロセッサ61は、次式に従って事前設定値を求めるようにさらに構成することができるものと仮定し：
f（NGID）＝a＊NGID＋b、または
f（NGID）＝（a＊NGID＋b）mod K
式中、NGIDはグループ識別情報を表し、aおよびbは事前定義された定数であり、f（NGID）は事前設定値を表し、Kはシステムによって定義された定数であり、modはモジュロ演算を表す。
【０１３６】
グループ識別情報はPD2DSS識別情報の関数であり、または、ネットワークによって配信される第1の制御命令において搬送され、または、送信デバイスによって配信される第2の制御命令において搬送され、または、ネットワークによって暗黙的に指示され、シーケンスは、mシーケンス、ZCシーケンス、またはこれらの組み合わせに従って生成されることに留意すべきである。
【０１３７】
異なる第1のシーケンスについて、第1のプロセッサ61は、すべての第1のシーケンスに対応する第1の事前設定値に従って同期信号のIDを決定し、または、PD2DSS識別情報およびすべての第1のシーケンスに対応する第1の事前設定値に従って同期信号の識別情報IDを決定し、または、すべての第1のシーケンスの第1の事前設定値のいずれか1つに従って同期信号のIDを決定し、または、PD2DSS識別情報およびすべての第1のシーケンスの第1の事前設定値のいずれか1つに従って同期信号のIDを決定するようにさらに構成することができる。
【０１３８】
前述の実施形態において、第1のプロセッサ61が同期信号に従ってベースバンド信号を獲得するように構成されていることは、具体的には、第1のプロセッサ61が、周波数領域信号を獲得するために、同期信号をサブキャリアにマップし、周波数領域信号に従って時間領域信号を獲得するように構成されていること、である。
【０１３９】
さらに、同期信号は少なくとも1つの第1の同期信号および少なくとも1つの第2の同期信号を含み、すべての第1の同期信号およびすべての第2の同期信号に対応する第1のシーケンスは同じであり、または異なる。第1のプロセッサ61が、周波数領域信号を獲得するために、同期信号をサブキャリアにマップするように構成されていることは、具体的には、第1のプロセッサ61が、ベースバンド信号の周波数領域信号を獲得するために、すべての第1の同期信号をすべての第1の同期信号に対応する第1の位置にそれぞれマップし、すべての第2の同期信号をすべての第2の同期信号に対応する第2の位置にそれぞれマップするように構成されており、すべての第1の同期信号に対応する第1の位置およびすべての第2の同期信号に対応する第2の位置は1つのサブフレームにおけるそれぞれ異なるシンボル位置であり、またはすべての第1の同期信号に対応する第1の位置およびすべての第2の同期信号に対応する第2の位置はそれぞれ異なるサブフレーム内のものであること、である。
【０１４０】
さらに、同期信号は少なくとも1つの第3の同期信号をさらに含み、第3の同期信号に対応するシーケンスは、第1の同期信号または第2の同期信号に対応するシーケンスと同じであり、または異なる。第1のプロセッサ61が、周波数領域信号を獲得するために、同期信号をサブキャリアにマップするように構成されていることは、具体的には、第1のプロセッサ61が、周波数領域信号を獲得するために、すべての第3の同期信号をすべての第3の同期信号に対応する第3の位置にそれぞれマップするように構成されており、すべての第3の同期信号に対応する第3の位置、すべての第1の同期信号に対応する第1の位置、およびすべての第2の同期信号に対応する第2の位置がそれぞれ1つのサブフレームにおける異なるシンボル位置であり、または、すべての第1の同期信号に対応する第1の位置、すべての第2の同期信号に対応する第2の位置、およびすべての第3の同期信号に対応する第3の位置がそれぞれ異なるサブフレーム内のものであること、である。
【０１４１】
以上に基づき、1つのシナリオにおいて、シーケンスが31の長さを有するmシーケンスである場合、1つまたは複数のシーケンスの原始多項式は以下の多項式のいずれか1つまたは任意の組み合わせであり：
【数８５】
0006507436.tif 000086
式中、
【数８６】
0006507436.tif 000087
mod 2は2による除算のモジュロ演算を表す。
【０１４２】
別のシナリオにおいて、シーケンスが63の長さを有するmシーケンスである場合、1つまたは複数のシーケンスの原始多項式は以下の多項式のいずれか1つまたは任意の組み合わせであり：
【数８７】
0006507436.tif 000088
式中、
【数８８】
0006507436.tif 000089
mod 2は2による除算のモジュロ演算を表す。
【０１４３】
前述の実施形態において、第1のプロセッサ61が周波数領域信号に従って時間領域信号を獲得するように構成されていることは、具体的には、第1のプロセッサ61が、OFDMによって周波数領域信号からベースバンド信号を獲得するように構成されていること、または、第1のプロセッサ61が、SC-FDMAによって周波数領域信号からベースバンド信号を獲得するように構成されていること、である。
【０１４４】
ベースバンド信号を獲得するための一実施形態において、第1のプロセッサ61が、OFDMによって周波数領域信号からベースバンド信号を獲得するように構成されていることは、具体的には、第1のプロセッサ61が、次式に従ってベースバンド信号を獲得するようにさらに構成されていること、であり：
【数８９】
0006507436.tif 000090
式中、tはベースバンド信号s（t）の時間独立変数を表し、
【数９０】
0006507436.tif 000091
であり、Δfはサブキャリア間隔であり、akは周波数領域データが対応するサブキャリアにマップされた後で獲得される値であり、
【数９１】
0006507436.tif 000092
であり、式中、
【数９２】
0006507436.tif 000093
はシステム帯域幅のために構成されたRBの数を表し、
【数９３】
0006507436.tif 000094
は周波数領域におけるリソースブロックのサイズを表し、
【数９４】
0006507436.tif 000095
は切り捨て演算を表し、Nはシステム帯域幅のために構成されたサブキャリアの数である。
【０１４５】
ベースバンド信号を獲得するための別の実施形態において、第1のプロセッサ61が、SC-FDMAによって周波数領域信号からベースバンド信号を獲得するように構成されていることは、具体的には、第1のプロセッサ61が、次式に従ってベースバンド信号を獲得するようにさらに構成されていること、であり：
【数９５】
0006507436.tif 000096
式中、tはベースバンド信号s（t）の時間独立変数を表し、
【数９６】
0006507436.tif 000097
であり、Δfはサブキャリア間隔であり、akは周波数領域データが対応するサブキャリアにマップされた後で獲得される値であり、
【数９７】
0006507436.tif 000098
であり、式中、
【数９８】
0006507436.tif 000099
はシステム帯域幅のために構成されたRBの数を表し、
【数９９】
0006507436.tif 000100
は周波数領域におけるリソースブロックのサイズを表し、
【数１００】
0006507436.tif 000101
は切り捨て演算を表し、Nはシステム帯域幅のために構成されたサブキャリアの数である。
【０１４６】
別の実施形態においては、任意選択で、第1のプロセッサ61は、変換信号を獲得するために、同期信号に対してDFTを実行するようにさらに構成することもできる。第1のプロセッサ61が、ベースバンド信号を獲得するために、SC-FDMAによって同期信号をサブキャリアにマップするように構成されていることは、具体的には、第1のプロセッサ61が、ベースバンド信号を獲得するために、SC-FDMAによって変換信号をサブキャリアにマップするように構成されていること、である。
【０１４７】
第1のプロセッサ61が、変換信号を獲得するために、同期信号に対してDFTを実行するように構成されていることは、具体的には、第1のプロセッサ61が、次式に従って変換信号を獲得するようにさらに構成されていること、であり：
【数１０１】
0006507436.tif 000102
式中、lは同期信号d（l）の独立変数を表し、Lは同期信号の長さであり、b（n）は同期信号に対してDFTが実行された後で獲得される変換信号を表し、0≦n≦L−1であり、jは虚数単位を表す。
【０１４８】
前述の実施形態において、第1の送信機62は、第1のプロセッサによって獲得されたベースバンド信号に対する無線周波数変換を実行した後で無線周波数信号を獲得し、事前設定期間が到来したときに無線周波数信号を送出するように特に構成することができる。
【０１４９】
図7は、本発明による同期信号受信デバイスの第1の実施形態の概略的構造図である。本発明の本実施形態は同期信号受信デバイスを提供し、本デバイスはUEや基地局といった信号受信デバイス内のものとすることができる。図7に示すように、同期信号受信デバイス70は、受信機71と、第2のプロセッサ72とを含む。
【０１５０】
受信機71は、同期信号を受信するように構成されており、同期信号は1つまたは複数のシーケンスに従って送信端によって生成され、1つまたは複数のシーケンスの1つまたは複数の長さは同期信号の長さに従って決定される。第2のプロセッサ72は、同期信号の送信端との同期を得るために、受信機71によって受信された同期信号を検出するように構成されている。
【０１５１】
本実施形態のデバイスは図13に示す方法実施形態の技術的解決策を実行するように構成することができ、技術的解決策の実現原理および技術的効果は本実施形態のものと同様であり、ここではさらに説明しない。
【０１５２】
前述の実施形態において、シーケンスは、mシーケンス、ZCシーケンス、またはこれらの組み合わせに従って生成される。
【０１５３】
任意選択で、シーケンスが31の長さを有するmシーケンスである場合、1つまたは複数のシーケンスを生成するための原始多項式は以下の多項式のいずれか1つまたは任意の組み合わせであり：
【数１０２】
0006507436.tif 000103
式中、
【数１０３】
0006507436.tif 000104
mod 2は2による除算のモジュロ演算を表す。
【０１５４】
さらに、シーケンスが63の長さを有するmシーケンスである場合、1つまたは複数のシーケンスを生成するための原始多項式は以下の多項式のいずれか1つまたは任意の組み合わせであり：
【数１０４】
0006507436.tif 000105
式中、
【数１０５】
0006507436.tif 000106
mod 2は2による除算のモジュロ演算を表す。
【０１５５】
以上に基づき、受信デバイス70は第2の送信機をさらに含むことができる。第2のプロセッサ72は、事前設定基準に従って、受信機71が同期信号を受信するかどうか検出し、同期信号が検出されない場合、第2の送信機をトリガして、本受信デバイスによって生成された同期信号を別の受信端へ送信させるようにさらに構成することができる。本実施形態において、第2の送信機は独立して配置することもでき、または、受信機71と統合することもでき、これについては本発明では限定されない。
【０１５６】
図8は、本発明による同期信号送信方法の第1の実施形態の概略的流れ図である。本発明の本実施形態は同期信号送信方法を提供し、本方法は、同期信号の送信端と受信端との間の同期を実現するのに用いられ、同期信号送信装置によって実行することができる。装置は、UEや基地局といった信号送信デバイスに組み込むことができる。図8に示すように、本同期信号送信方法は以下を含む。
【０１５７】
S301．1つまたは複数のシーケンスに従って同期信号を生成し、1つまたは複数のシーケンスの1つまたは複数の長さは同期信号の長さに従って決定される。
【０１５８】
具体的には、シーケンスは第1のシーケンスを含み、S301は、具体的には、同期信号の長さに従って1つまたは複数の第1のシーケンスの1つまたは複数の長さを決定ステップと、1つまたは複数の第1のシーケンスに対応する1つまたは複数の第1の事前設定値を決定するステップであって、各第1のシーケンスに対応する第1の事前設定値が独立している、ステップと、同期信号を生成するために、1つまたは複数の第1の事前設定値に従って1つまたは複数の第1のシーケンスの循環シフトを実行するステップと、である。
【０１５９】
異なる第1のシーケンスについて、第1のシーケンスにそれぞれに対応する第1の事前設定値と同期信号の識別情報（identity、略称：ID）との間には複数の関係があり、以下でそれらの関係を1つずつ説明する。
【０１６０】
1つの特定の実施態様において、同期信号のIDはすべての第1のシーケンスに対応する第1の事前設定値に従って決定される。すなわち、すべての第1の事前設定値は同期信号のIDに共通して対応している。例えば、理論上は、63の長さを有するmシーケンスについて、2つの独立したmシーケンスを用いて生成される同期信号を最大63＊63＝3969個のIDにマップすることができ、すなわち、3969個の異なる同期信号が獲得される。
【０１６１】
別の特定の実施態様において、同期信号のIDは、PD2DSSおよびすべての第1のシーケンスに対応する第1の事前設定値に従って決定される。例えば、63の長さを有するmシーケンスを63個のIDにマップすることができ、3つの異なるPD2DSSシーケンスがある場合、合計3＊63＝189個の同期信号のIDにマップすることができる。
【０１６２】
さらに別の特定の実施態様において、同期信号のIDはすべての第1のシーケンスの第1の事前設定値のいずれか1つに従って決定される。すなわち、同期信号のIDは、第1の事前設定値のいずれか1つによって一意に決定されうる。これが目的とするのは、第1の事前設定値の位置のところで生成される同期信号が隣接する同期ソースによって送信される同期信号と相互に強く干渉し合う場合に、別の第1の事前設定値が隣接する同期ソースによって事前設定値との差別化のために用いられ、これにより、隣接する同期ソースによって送信される同期信号間で強い干渉が発生しないことが保証されること、である。本実施態様において、63の長さを有するシーケンスはグループ内の最大63個の異なる同期信号を示すことができ、異なるグループ間の差別化にスクランブリングシーケンスを用いることができる。
【０１６３】
さらに別の特定の実施態様において、同期信号のIDは、PD2DSS識別情報およびすべての第1のシーケンスの第1の事前設定値のいずれか1つに従って決定される。すなわち、同期信号のIDはNid＝f（x，PD2DSS識別情報）によって表すことができ、Nidは同期信号のIDを表し、xは第1の事前設定値を表し、fは括弧内の内容（第1の事前設定値およびPD2DSS識別情報）の関数を表す。例えば、Nid＝x mod NmaxまたはNid＝（x＋PD2DSS識別情報）mod Nmaxであり、Nmaxは異なる同期ソースの最大数を表し、例えば、Nmax＝100または60であり、このパラメータはプロトコルにおいて事前定義することもでき、シグナリングによって指示することもでき、modはモジュロ演算を表す。
【０１６４】
このステップでは、シーケンスを、mシーケンス、ZCシーケンス、またはこれらの組み合わせに従って生成することができる。すなわち、同期信号はmシーケンスに従って生成され、または同期信号はZCシーケンスに従って生成され、または同期信号はmシーケンスとZCシーケンスの両方に従って生成される。
【０１６５】
mシーケンスとZC（Zadoff-Chu、人にちなんで命名されたシーケンス）シーケンスのどちらも優れた関連性能を有する特定のシーケンスである。相関に関しての2つのシーケンスの差異は以下のとおりである：mシーケンスの周期自己相関において、すべての循環シフト値に対応する相関値が主ピークを除いて−1であり、別のmシーケンスを用いてスクランブルされたmシーケンスの最大相互相関値はおおよそ
【数１０６】
0006507436.tif 000107
であり、Qはシーケンス長であり、ZCシーケンスの周期自己相関において、すべての循環シフト値に対応する相関値が主ピークを除いて0であり、別のZCシーケンスを用いてスクランブルされたZCシーケンスの最小相互相関値は
【数１０７】
0006507436.tif 000108
とすることができる。
【０１６６】
そのシーケンス長Qが奇数であるZCシーケンスは次式に従って生成され：
【数１０８】
0006507436.tif 000109
式中、jは虚数単位であり、uはZCシーケンスのルートシーケンス番号であって、シーケンス長Qと互いに素な整数であり、d（n）はZCシーケンス内の各チップに対応するインデックスnの特定の値を表す。
【０１６７】
そのシーケンス長Qが偶数であるZCシーケンスは次式に従って生成され：
【数１０９】
0006507436.tif 000110
式中、jは虚数単位であり、uはZCシーケンスのルートシーケンス番号であって、シーケンス長Qと互いに素な整数であり、d（n）はZCシーケンス内の各チップに対応するインデックスnの特定の値を表す。
【０１６８】
特定のシーケンス長値Qを有するZCシーケンスについて、異なるルートシーケンス番号uは異なるZCシーケンスに対応している。
【０１６９】
mシーケンスは、最長期間を有し、m段シフトレジスタによって生成されうるシーケンスである。mシーケンスの長さは2m−1であり、すなわち、mシーケンスの長さは、7、15、31、63、127、255などとすることができる。mシーケンスは2進シーケンスである。
【０１７０】
同期信号を生成するためのシーケンスの数は、同期信号によって用いられうるシーケンスの長さに依存する。ある長さの1つまたは複数のシーケンスが、同期信号を生成するために、同期信号の長さに従って決定される。例えば、同期信号の長さは72を超えず、mシーケンスが用いられる場合、シーケンスの好ましい長さは62または63である。同期信号の長さが62であるときには、62の長さを有する同期信号は31の長さを有する2つのmシーケンスを用いて生成されうると判定され、または、同期信号の長さが63であるときには、63の長さを有する同期信号は63の長さを有する1つのmシーケンスを用いて生成されうると判定される。他の類似した事例についてはここで1つ1つ記載しない。
【０１７１】
S302．同期信号に従ってベースバンド信号を獲得する。
【０１７２】
具体的には、S302は、周波数領域信号を獲得するために、同期信号をサブキャリアにマップするステップと、周波数領域信号に従って時間領域信号を獲得するステップと、を含むことができる。
【０１７３】
周波数領域信号を獲得するために、同期信号をサブキャリアにマップするステップは、具体的には、すべてのシーケンスに対応する周波数領域サブキャリア信号を獲得し、周波数領域信号をさらに獲得するために、同期信号に含まれるすべてのシーケンスをサブキャリアに別々にマップするステップ、とすることができ、周波数領域信号は周波数領域サブキャリア信号を含む。例えば、31の長さを有する2つのシーケンスが、奇数サブキャリアと偶数サブキャリアとにそれぞれマップされてもよく、または、31の連続するサブキャリアを別々に占有してもよく、または、別の方法で1対1対応関係として全部で62のサブキャリアにマップされてもよい。63の長さを有するシーケンスについて、シーケンスを63のサブキャリアにマップするための方法は、前述の例における方法と同様である。63の長さを有するシーケンスは、63の連続するサブキャリアにマップされてもよく、または、任意の他の方法を用いて1対1対応関係として63のサブキャリアにマップされてもよい。
【０１７４】
実際の応用シナリオにおいては、当分野の技術者が理解するように、周波数領域信号に従って時間領域信号を獲得するステップは、周波数領域信号を時間領域信号に変調するステップである。変調方式は、直交周波数分割多重化（Orthogonal Frequency Division Multiplexing、略称：OFDM）とすることもでき、またはシングルキャリア周波数分割多元接続（Single Carrier Frequency Division Multiple Access、略称：SC-FDMA）とすることもでき、具体的変調方式を以下の実施形態において詳細に説明する。
【０１７５】
S303．無線周波数変換を実行した後でベースバンド信号を送出する。
【０１７６】
具体的には、S303は、ベースバンド信号に対する無線周波数変換を実行した後で無線周波数信号を獲得するステップと、事前設定期間が到来したときに、例えば受信機へ、無線周波数信号を送出するステップと、を含むことができる。
【０１７７】
D2D通信シナリオにおいて、本発明の本実施形態で提供される同期信号間の相互相関の値は小さく、このため同期検出時間を短縮することができる。したがって、同期信号の受信端は同期信号に従って送信端との迅速な同期を実現することができ、それによってシステム性能が改善される。
【０１７８】
本発明の任意の実施形態において、同期ソースグループは複数の同期ソースを含みうることに留意すべきである。同期ソースは、同期信号を送信するデバイス、すなわち、同期信号の送信元または同期信号の送信側である。D2D通信プロセスにおいて、送信端と受信端とは相対的に配置される。受信端は同時に送信端（すなわち同期ソース）としても働き、受信端によって生成された同期信号を、デバイス間の同期を実現するために、別の受信端へ送信することができる。加えて、本発明の本実施形態におけるグループ識別情報は前述の同期ソースグループの識別情報である。
【０１７９】
前述の実施形態に基づき、シーケンスは第2のシーケンスを含むことができ、S301は、1つまたは複数の第2のシーケンスに従ってスクランブリングシーケンスを生成するステップと、スクランブリングシーケンスを用いて、同期信号に対して少なくとも1回スクランブリング処理を実行するステップと、をさらに含むことができる。S302は、具体的には、スクランブリング処理を受けた同期信号に従ってベースバンド信号を獲得するステップ、である。表1に示すように、第1のシーケンスおよび第2のシーケンスは、mシーケンス、ZCシーケンス、mシーケンスとZCシーケンスの組み合わせに従って生成することができる。本実施形態では、同期信号のピーク対平均値比を、前述のスクランブリングシーケンスを用いて低減させることができる。
【０１８０】
【表１】
0006507436.tif 000111
【０１８１】
任意選択で、1つまたは複数の第2のシーケンスに従ってスクランブリングシーケンスを生成するステップは、具体的には、同期信号の長さに従って1つまたは複数の第2のシーケンスの1つまたは複数の長さを決定するステップと、1つまたは複数の第2のシーケンスに対応する1つまたは複数の第2の事前設定値を決定するステップであって、すべての第2のシーケンスが1つの第2の事前設定値または異なる第2の事前設定値に対応しており、グループ内のすべての同期ソースに対応するスクランブリングシーケンスの第2の事前設定値が同じである、ステップと、スクランブリングシーケンスを生成するために、第2の事前設定値に従って各第2のシーケンスに対して循環シフトを実行するステップと、を含むことができる。本発明の本実施形態では、スクランブリングシーケンスに対応する循環シフト値（すなわち、第2の事前設定値）がグループ識別情報に従って獲得される。D2Dグループにおいて、異なる同期信号に用いられるスクランブリングシーケンスは、グループ内の同期信号間の関連性能を高め、グループ間同期信号の構成の拡張性を提供するように、1つの循環シフトを有する。さらに、複数のスクランブリングシーケンスがあるときに、少なくとも1つのスクランブリングシーケンスはグループ内の1つの第2の事前設定値に対応しており、その他のスクランブリングシーケンスは異なる第2の事前設定値に対応している。加えて、異なるD2Dグループ内のスクランブリングシーケンスの循環シフト値（第2の事前設定値）も明示的に、または暗黙的に指示することができる。
【０１８２】
第1の事前設定値または第2の事前設定値のどちらかはグループ識別情報に従って決定されることに留意すべきである。説明を容易にするために、第1の事前設定値および第2の事前設定値をまとめて事前設定値と呼ぶ。
【０１８３】
グループ識別情報に従って事前設定値を決定するステップは、具体的には、次式に従って事前設定値を求めるステップ、とすることができ：
f（NGID）＝a＊NGID＋b    式（3a）
または
f（NGID）＝（a＊NGID＋b）mod K    式（3b）
式中、NGIDはグループ識別情報を表し、aおよびbは事前定義された定数であり、f（NGID）は事前設定値を表し、Kはシステムによって定義された定数であって、例えば、Kは、グループ内の同期信号の、システムによって指示される最大数とすることができ、modはモジュロ演算を表す。
【０１８４】
グループ識別情報は、PD2DSS指示情報の関数であってもよく、またはネットワークによって配信される第1の制御命令において搬送されてもよく、または送信デバイスによって配信される第2の制御命令においてされてもよく、またはネットワークによって暗黙的に指示されてもよいことに留意すべきである。
【０１８５】
具体的には、ネットワークカバレッジありのD2Dシナリオにおいて、第1の制御命令はネットワークを用いてD2D同期信号送信端へ送信することができる。第1の制御命令はグループ識別情報を搬送する。任意選択で、グループ識別情報はネットワークによって配信される第1の制御命令で搬送することもできる。例えば、LTEシステムにおいて、第1の制御命令は、セルラリンクを用いてダウンリンクにおいて進化型ノードB（Evolved Node B、略称：eNB）によって送信されるダウンリンク制御情報（Downlink Control Information、略称：DCI）または無線リソース制御（Radio Resource Control、略称：RRC）シグナリングとすることができる。ネットワークが異なるD2D同期信号送信端について1つのグループ識別情報を構成する場合、それらのD2D同期信号送信端は1つのグループに属する。ネットワークが異なるD2D同期信号送信端について異なるグループ識別情報を構成する場合、それらのD2D同期信号送信端は異なるグループに属する。任意選択で、グループ識別情報は、スケジューリング割り当て（Scheduling Assignment、略称：SA）シグナリングを受信するUEに同期信号のグループ識別情報を生成するよう命令するために、D2Dで用いられるSA制御シグナリングで搬送される識別情報とすることもできる。
【０１８６】
加えて、PD2DSSが存在する場合、PD2DSSを用いるD2D同期信号送信端はグループに属し、すなわち、グループ識別情報NGIDはPD2DSS識別情報の関数とすることができる。本方法は、ネットワークカバレッジありのシナリオにもネットワークカバレッジなしのシナリオにも適用することができる。
【０１８７】
ネットワークカバレッジなしのシナリオでは、第2の制御命令も送信デバイスを用いてD2D同期信号送信端へ送信することができ、第2の制御命令は少なくとも同期信号のグループ識別情報NGIDを搬送し、送信デバイスの機能はネットワークカバレッジありのシナリオでの進化型ノードB（Evolved Node B、略称： eNB）の機能と同様であるが、送信デバイスのエンティティは、より高機能の制御デバイスまたはD2D UEとすることができる。
【０１８８】
ネットワークが暗黙的に指示することは、ネットワークカバレッジがある場合に、グループ識別情報がネットワークによって配信される様々な情報によって指示されうることを意味し、情報はネットワークによって、ネットワークがサービスするUEへ送信される。例えば、ネットワークカバレッジがある場合、ネットワークサービス範囲内のD2D UEは基地局10と同期される。図1に示すように、UE11、UE12、およびUE13は、基地局10によって配信されるダウンリンク同期信号（PSSおよびSSS）に従って基地局10と同期される。加えて、例えば、UE13は、同期ソースとして、UE13によって生成された同期信号D2DSSを送出するが、UE13は、UE13と基地局10との間の同期に基づいて生成されたD2DSSをさらに送信する。すなわち、ネットワークカバレッジがある場合には、基地局10はすべてのD2D UE同期ソースの同期基準のための同期基準ソースとして用いられ、したがって、D2D UE同期ソースによって送信されるD2DSSは同期された（または同じ）同期基準ソースを用いるとみなすことができる。「同じ」とは、すべてのD2D UEが1つのサービス基地局を同期基準として用いることを示し、「同期された」とは、すべてのD2D UEが複数の基地局を同期基準として用いることができるがそれら複数の基地局は同期されていることを示す。
【０１８９】
ネットワークカバレッジがある場合には、サービングセルにおいて同期基準ソースを用いるD2DSSの同期ソースが1つのグループに分類され、これらの同期ソースはD2DSS生成プロセスにおいてグループ識別情報を用いることができる。1つの具体的な実施方法は以下のとおりである：ネットワークカバレッジがあるときに、ある基地局（または複数の同期された基地局）を同期基準として用いるすべてのD2D UEは、D2DSSを送信するときに、グループ識別情報を獲得するために同期基準ソース基地局に関する情報を用いる。例えば、基地局のセル識別情報（物理セル識別情報、略称：PCI）に関する情報の一部または全部がグループ識別情報を生成するのに用いられる。
【０１９０】
グループ内のD2D UEによって用いられるスクランブリングシーケンスの循環シフト（第2の事前設定値）は以下の識別情報を用いて生成されうる：
方法1：グループ識別情報は
【数１１０】
0006507436.tif 000112
に従って生成され、
【数１１１】
0006507436.tif 000113
は基地局のセル識別情報である；
方法2：グループ識別情報は
【数１１２】
0006507436.tif 000114
に従って生成され、
【数１１３】
0006507436.tif 000115
はLTE基地局のPSSに対応する識別情報であり、
【数１１４】
0006507436.tif 000116
の値は0、1、または2とすることができる；
方法3：グループ識別情報は
【数１１５】
0006507436.tif 000117
に従って生成され、
【数１１６】
0006507436.tif 000118
はLTE基地局のSSSに対応する識別情報であり、
【数１１７】
0006507436.tif 000119
の値は少なくとも0から167とすることができ、または167より大きい値を含むことができる。
【０１９１】
前述の識別情報に従って第2の事前設定値を生成するための方法は、前述の識別情報から第2の事前設定値へのランダムマッピングとすることができ、すなわち、1つの一意の第2の事前設定値を前述の識別情報のうちの1つから生成することができる。例えば、第2の事前設定値は前述の識別情報のうちの1つに等しい値とすることができ、または、第2の事前設定値は前述の識別情報の線形関数マッピングとすることもでき、これについては本発明では限定されない。
【０１９２】
前述の実施形態に基づき、同期信号は少なくとも1つの第1の同期信号および少なくとも1つの第2の同期信号を含むことができ、すべての第1の同期信号およびすべての第2の同期信号に対応する第1のシーケンスは同じであり、または異なり；周波数領域信号を獲得するために、同期信号をサブキャリアにマップするステップは、周波数領域信号を獲得するために、すべての第1の同期信号をすべての第1の同期信号に対応する第1の位置にそれぞれマップし、すべての第2の同期信号をすべての第2の同期信号に対応する第2の位置にそれぞれマップするステップであって、すべての第1の同期信号に対応する第1の位置およびすべての第2の同期信号に対応する第2の位置は1つのサブフレームにおけるそれぞれ異なるシンボル位置であり、またはすべての第1の同期信号に対応する第1の位置およびすべての第2の同期信号に対応する第2の位置はそれぞれ異なるサブフレーム内のものである、ステップ、を含むことができる。
【０１９３】
さらに、同期信号は少なくとも1つの第3の同期信号をさらに含むことができ、第3の同期信号に対応するシーケンスは、第1の同期信号または第2の同期信号に対応するシーケンスと同じであり、または異なる。周波数領域信号を獲得するために、同期信号をサブキャリアにマップするステップは、周波数領域信号を獲得するために、すべての第3の同期信号をすべての第3の同期信号に対応する第3の位置にそれぞれマップするステップであって、すべての第3の同期信号に対応する第3の位置、すべての第1の同期信号に対応する第1の位置、およびすべての第2の同期信号に対応する第2の位置がそれぞれ1つのサブフレームにおける異なるシンボル位置であり、または、すべての第1の同期信号に対応する第1の位置、すべての第2の同期信号に対応する第2の位置、およびすべての第3の同期信号に対応する第3の位置がそれぞれ異なるサブフレーム内のものである、ステップ、をさらに含むことができる。
【０１９４】
以下の説明では、異なる応用シナリオを用いて前述の実施形態をさらに説明する。
【０１９５】
本発明の本実施形態の実際の応用において、前述のシーケンスが31の長さを有するmシーケンスである場合、前述の1つまたは複数のシーケンスの原始多項式は以下の多項式のいずれか1つまたは任意の組み合わせであり：
【数１１８】
0006507436.tif 000120
式中、
【数１１９】
0006507436.tif 000121
mod 2は2による除算のモジュロ演算を表す。式（4）において、任意の原始多項式は0および1で表されるシーケンスである。
【０１９６】
ここで説明のために一例を挙げ、同期信号の生成を説明するための例としてSD2DSSを用いる。SD2DSSの長さは62であり、SD2DSSは31の長さを有する2つのmシーケンス（すなわち第1のシーケンス）に従って生成することができ、31の長さを有するこれら2つのmシーケンスはs0およびs1でそれぞれ表され、SD2DSSは2つの部分dAおよびdBに対応しており、dAとs0、s1との間の関係およびdBとs0、s1との間の関係は、次式でそれぞれ示されるものと仮定する：
【数１２０】
0006507436.tif 000122
式中、
【数１２１】
0006507436.tif 000123
は、m0の左循環シフトが
【数１２２】
0006507436.tif 000124
に対して実行された後で獲得され、
【数１２３】
0006507436.tif 000125
はm1の左循環シフトが
【数１２４】
0006507436.tif 000126
に対して実行された後で獲得される。
【数１２５】
0006507436.tif 000127
式中、
【数１２６】
0006507436.tif 000128
は31の長さを有するmシーケンスであり、2つのmシーケンスは同じであってもよく、異なっていてもよく、
【数１２７】
0006507436.tif 000129
であり、
【数１２８】
0006507436.tif 000130
を生成するための原始多項式xkは式（4）におけるmシーケンスのいずれか1つまたは2つとすることができる。式（4）における任意の原始多項式において、初期値は、x（0）＝0、x（1）＝0、x（2）＝0、x（3）＝0、およびx（4）＝1、として設定することができる。ここでは初期値は非ゼロの値（すなわち、1）を含みさえすればよいことに留意すべきである。例えば、初期値は、x（0）＝1、x（1）＝0、x（2）＝0、x（3）＝0、およびx（4）＝0、として設定することもできる。加えて、0および1で表されるシーケンスを、式
【数１２９】
0006507436.tif 000131
に従って、＋1および−1で表されるシーケンスにマップすることもでき、＋1および−1で表されるシーケンスは、それぞれ、本発明の本実施形態における第1のシーケンスおよび第2のシーケンスである。
【０１９７】
図9は、本発明による同期信号送信方法の第2の実施形態におけるSD2DSSの例示図である。図9に示すように、SD2DSSは小さい位置間隔で隔てられた少なくとも2つの位置にシーケンスを含む信号であり、第1のシーケンスsAおよびsBの位置は第1の位置および第2の位置において交換され、位置間隔は1つのサブフレーム（1ms）における異なるシンボル位置とすることもでき、またはいくつかのサブフレームの間隔とすることもできる。任意選択で、SD2DSSの送信期間は比較的長く、一般に、100ミリ秒（ms）より大、例えば、2．56秒（s）であり、2．56秒は256無線フレームと同等である。本発明の本実施形態では、SD2DSSは、受信端が同期ソースによって送信されたSD2DSSを受信する確率を高めるように、比較的長い期間において周期的に送信される。
【０１９８】
図9はSD2DSSの単なる例示図にすぎず、周波数領域サブキャリアにマップされた後のsAおよびsBの位置は、図9に示すように連続し、隣り合って配置されてもよく、または、奇数および偶数のサブキャリアに従って交互に配置されてもよく、または、別の方法を用いて配置されてもよいことにさらに留意すべきである。31の長さを有する2つのシーケンスsAおよびsBは全部で62箇所の異なる位置に対応しており、sAおよびsBに対応する2つの位置、すなわち、図9に示す第1のSD2DSS位置と第2のSD2DSS位置とは交換されうることを保証すべきである。
【０１９９】
さらに、スクランブリングシーケンスを用いて前述の同期信号に対してスクランブリングを実行することができ、すなわち、以下のとおりである：
dA（n）＝sA（n）c0（n）
dB（n）＝sB（n）c1（n）    式（7）
【０２００】
前述の式において、c0およびc1は31の長さを有するmシーケンスに従って生成され、31の長さを有するmシーケンスに対応する原始多項式は式（4）における原始多項式のうちの任意の1つまたは2つである。
【０２０１】
前述のスクランブリングシーケンスc0は、
【数１３０】
0006507436.tif 000132
に対してグループ識別情報に関する循環シフトが実行された後で獲得され、スクランブリングシーケンスc1は、
【数１３１】
0006507436.tif 000133
に対してグループ識別情報に関する循環シフトが実行された後で獲得され、具体的には以下のとおりであることを強調すべきである：
【数１３２】
0006507436.tif 000134
【０２０２】
式（8）において、NGIDはグループ識別情報を表し、グループ識別情報の特定の値はグループにおいて明示的または暗黙的に指示され、指示方法については以下の実施形態でより詳細に説明する。fk（NGID）はNGIDの関数であり、式（3a）または式（3b）とすることができる。例えば、一実施形態においては、fk（NGID）＝NGIDであり、別の実施形態においては、fk（NGID）＝NGID mod Kであり、Kはグループ内の同期ソースの最大数、または同期ソースによってサポートされうる転送回数の最大数を表すことができ、f1（NGID）はf2（NGID）と同じであってもよく、異なっていてもよい。
【０２０３】
さらに、式（7）に従って生成される同期信号の一部は再スクランブルすることができ、すなわち、以下のとおりである：
dA（n）＝sA（n）c0（n）
dB（n）＝sB（n）c1（n）z1（n）    式（9）
【０２０４】
式（9）において、z1は31の長さを有するmシーケンスに従って生成され、31の長さを有するmシーケンスは、具体的には
【数１３３】
0006507436.tif 000135
として表され、
【数１３４】
0006507436.tif 000136
は式（4）における任意の原始多項式とすることもできる。z1は
【数１３５】
0006507436.tif 000137
に対してグループ識別情報に関する循環シフトが実行された後で獲得され、これを式（10）として示す。
【数１３６】
0006507436.tif 000138
【０２０５】
式（10）において、g（NGID）はNGIDの関数であり、式（3a）または式（3b）とすることができる。例えば、一実施形態においては、g（NGID）＝NGIDであり、別の実施形態においては、f（NGID）＝NGID mod Kであり、Kはグループ内の同期ソースの数、または同期ソースがサポートすることのできる転送回数の最大数を表すことができる。送信される同期信号のピーク対平均値比（Peak to Average Power Ratio、略称：PAPR）は、式（10）に従って獲得されるスクランブリングシーケンスを用いた再スクランブリングによってさらに低減させることができる。
【０２０６】
より具体的な特殊例において、本発明の本実施形態の同期信号は次式に従って獲得される：
【数１３７】
0006507436.tif 000139
【０２０７】
式（11a）からわかるように、複数のグループが存在する1つの応用シナリオにおいては、各グループ内のすべての同期ソースがSD2DSSを送信するときに、SD2DSSを生成するのにグループ識別情報NGIDが用いられる。新しいUEが、同期ソースとして働くために、UEによって生成されたSD2DSSを送信しようとするときに、そのUEはまず、UEが属するグループにおいて指示されるNGID情報を獲得する必要があり、次いで、グループで用いられるのと同じNGIDを用いてSD2DSSを生成する。
【０２０８】
式（11b）において、同期信号に従って決定されたSD2DSS信号が2つのシーケンスを用いて生成され、SD2DSS信号の一部分は生成後に偶数番号のシーケンス位置d（2n）に配置され、SD2DSS信号の他方の部分は生成後に奇数番号のシーケンス位置d（2n＋1）に配置される。式（11b）は単なる一実施形態にすぎず、生成後に、SD2DSSを生成するために、2つのシーケンスを別の方法でシーケンス位置にマップすることもできる。
【０２０９】
式（11b）においては、c0（n）を用いてd（2n）に対してスクランブリング処理が実行され、c0（n）はグループ内の循環シフト（第2の事前設定値）を有する。したがって、正規化されたc0（n）の相互相関値は−1であり、それによって、同期信号の受信端と送信端との間で迅速な同期が実現される。加えて、m0とm1の間で効果的な相互検出を実現するために、
【数１３８】
0006507436.tif 000140
を用いてd（2n＋1）に対してスクランブリング処理が実行され、c1（n）はグループ内の循環シフト（第2の事前設定値）を有し、
【数１３９】
0006507436.tif 000141
は、m0およびm1をそれぞれ異なる第2の事前設定値用いて循環シフトすることによってしかるべく生成され、z1（n）に対して実行される。例えば、第1の位置におけるd（2n）の信号が干渉を受けるときには、m0を検出することができない（すなわち、m0の特定の値を獲得することができない）、このシナリオでは、第2の位置におけるd（2n）の信号は干渉を受けず、すなわち、第2の位置におけるd（2n）の信号を用いてm1を検出することができる。m1が検出された後で、m1の値がd（2n＋1）の第1の位置へ代入され、次いでm0を検出することができ（第2の位置におけるm0は
【数１４０】
0006507436.tif 000142
として構成されているため、m0が干渉を受けるわずかな確率が生じる）、それによって、いくつかの循環シフト値がいくつかの干渉シナリオにおいて検出することができない事例が回避される。
【０２１０】
例えば、図10に示すように、第1のグループにおいて、UE41は第1のレベルの同期ソースであり、UE41はNGID＝0としてSD2DSSを生成し、UE42およびUE43が第1のグループに参加し、UE41との同期を実現するように、UE41によって送信されたSD2DSSをリッスンする。同様に、UE40も別の独立した第1のレベルの同期ソースであり、SD2DSSを送信する前に、UE40はまず第1のグループのグループ識別情報を獲得し、次いでやはりNGID＝0として独自のSD2DSSを生成する。UE44は第2のレベルの同期ソースであり、UE41とUE40の両方によって送信された2つの同期信号を受信した後で、UE44は事前設定ポリシーに従って任意の1つまたは複数の同期ソースと同期される（例えば、同期のために最高信号電力を有する1つを選択し、または同期のために2つの同期ソースの同期位置の重み付き位置を選択する）。図10の右側の第2のグループにおけるSD2DSSの送信プロセスは第1のグループにおけるプロセスと同様であり、第2のグループには、ただ1つの独立した第1のレベルの同期ソースUE51と、2つの第2のレベルの同期ソースUE52およびUE53がある。2つのグループ間に位置するUE45は第1のグループと第2のグループの両方から同期信号を受信することができる。UE45は、UEの挙動に従って独自に特定のグループに参加することに決めることができる。例えば、UE45は、第1のグループおよび第2のグループによって送信されたコンテンツへのUE45の関心に従って、どちらのグループに参加すべきか決定することができる。
【０２１１】
加えて、第1のグループにおいては、UE40、UE41、およびUE44のすべてがSD2DSSを送信し、グループ識別情報を用いるが、UE40、UE41、およびUE44によってそれぞれ送信されるSD2DSSは異なる場合もある。このようにして、UE40、UE41、およびUE44と同期されるUEは受信される同期信号を区別する。SD2DSSの信号生成は、式（5）、式（7）、または式（9）のいずれか1つとすることができ、SD2DSSに対応する第1のシーケンスは異なる循環シフトを用いて生成されうる。
【０２１２】
スクランブリングシーケンスの循環シフト値（すなわち、第2の事前設定値）は各グループにおいて同じであるため、グループ内の同期信号間の相互相関は、循環シフトが実行された後の第1のシーケンスの相互相関と等しい。第1のシーケンスはmシーケンスであり、mシーケンスに対して異なる周期循環シフトが実行された後で獲得されるシーケンス間の相関値は−1であり、シーケンスの長さと無関係である。したがって、1グループにおいて、前述の方法に従って異なる同期ソースによって生成されるSD2DSS間の相互相関値は−1である。
【０２１３】
すなわち、第1のグループにおいて、UE40、UE41、およびUE44によって送信された3つのSD2DSSに対応するシーケンスの相互相関値は−1である。同様に、第2のグループにおいて、UE51、UE52、およびUE53によって送信された3つのSD2DSSに対応するシーケンスの相互相関値も−1である。したがって、本発明は、グループ内のSD2DSS間の相互相関を大幅に低減させ、同期検出性能を改善することができる。
【０２１４】
D2Dグループ内の同期ソースの数は一般に制限され、一般には、数十台の同期ソース、あるいは数台または10台ほどの同期ソースしか存在しないことにさらに留意すべきである。加えて、図10では、2つのグループのエッジのところのUE45は、UE44とUE52の両方によって送信されたSD2DSSを受信することができる。2つの同期信号は2つの異なるグループからのものであり、2つの同期信号間の相互相関は比較的低くなると考えられ、これは、UE45が位置する2つのグループの重なり合う領域によって決定される。
【０２１５】
本発明の重要な1ステップとして、以下で、D2D同期ソースグループの確立および識別について説明する。
【０２１６】
方法1：1つのグループにおいて用いられるPD2DSSは同じであり、グループ識別情報はPD2DSSに従って区別される。例えば、PD2DSSはLTEにおけるプライマリ同期信号（Primary Synchronization Signal、略称：PSS）を用い、（表2に示すように）全部で3つの異なるPD2DSS信号があり、グループ識別情報はLTEにおいては
【数１４１】
0006507436.tif 000143
を用いて表される。したがって、D2D同期ソースグループ内にあり、同期信号を送信しようとするUEは、別のD2D同期ソースによって送信されたD2DSS内のPD2DSSを検出しさえすればよく、その場合UEはUEがどのグループに最も近いか判定することができる。次いで、SD2DSSを送信するときに、新しいUE（例えば図10のUE40）は、このグループのグループ識別情報に従ってSD2DSSを送信する。この方法は暗黙的指示方法であり、この方法は、ネットワークカバレッジありのシナリオにもネットワークカバレッジなしのシナリオにも適用可能である。
【０２１７】
方法2：ネットワークカバレッジがあるときに、基地局、例えばeNBは、セルラリンクにおいてシグナリング（DCIまたはRRC）を用いてD2D同期ソースの送信側へ、D2D同期ソースの送信側が属するグループのグループ識別情報を指示する。第2の方法は明示的指示方法である。
【０２１８】
方法3：ネットワークカバレッジがないときに、D2D同期ソースの送信側が属するグループのグループ識別情報に関する情報が、より高機能レベルの制御デバイスまたはD2D UEを用いてD2D同期ソースの送信側へ指示される。この場合には、より高機能を有する制御デバイスまたはD2D UEは、分散ネットワークにおいて同期ソースグループを調整する機能を提供する。第3の方法は明示的指示方法である。
【０２１９】
同期ソースグループのグループ識別情報は、D2D受信側へ直接的または間接的に指示することができる。指示方法は、D2DSS識別情報を用いた間接的指示、またはD2D送信側によってD2D受信側へ送信される制御信号を用いた指示、とすることができる。
【０２２０】
【表２】
0006507436.tif 000144
【０２２１】
本発明の本実施形態の別の実際の応用において、前述のシーケンスが63の長さを有するmシーケンスである場合、前述の1つまたは複数のシーケンスの原始多項式は以下の多項式のいずれか1つまたは任意の組み合わせであり：
【数１４２】
0006507436.tif 000145
式中、
【数１４３】
0006507436.tif 000146
mod 2は2による除算のモジュロ演算を表す。式（12）における任意の原始多項式において、初期値は、x（0）＝0、x（1）＝0、x（2）＝0、x（3）＝0、x（4）＝0、およびx（5）＝1、として設定することができる。ここでは初期値は非ゼロの値（すなわち、1）を含みさえすればよいことに留意すべきである。例えば、初期値は、x（0）＝1、x（1）＝0、x（2）＝0、x（3）＝0、x（4）＝0、およびx（5）＝1、として設定することもできる。
【０２２２】
この応用シナリオにおいては、SD2DSSの生成を説明のための例としてさらに用いる。SD2DSSの長さは63であり、SD2DSSは63の長さを有するmシーケンス（すなわち第1のシーケンス）に従って生成することができ、SD2DSSはdで表され、その場合以下のとおりであるものと仮定する：
【数１４４】
0006507436.tif 000147
【０２２３】
式（13a）に基づき、さらに、別の位置で独立して構成された同期信号が追加され、2つの信号の組み合わせにより、同期信号全体によって指示される同期ソース識別情報の総数を増やすことができる：
【数１４５】
0006507436.tif 000148
【０２２４】
式（13a）および式（13b）において、
【数１４６】
0006507436.tif 000149
の生成方法は前述の応用シナリオにおける生成方法と同じであり、2つの応用シナリオの違いは、同期信号の長さおよび同期信号を生成するのに用いられる原始多項式である。この応用シナリオにおける原始多項式は式（12）におけるいずれか1つまたは複数の原始多項式とすることができる。63の長さを有する2つのシーケンスは、それぞれ、第1の位置と第2の位置とにあり、2つのシーケンスは同じであっても異なっていてもよく、2つのシーケンスに対応する循環シフト値（すなわち第1の事前設定値）は独立して構成される。
【０２２５】
任意選択で、式（13a）および式（13b）に従って生成された同期信号は、式（14a）および式（14b）に示すように、スクランブルされる：
【数１４７】
0006507436.tif 000150
【０２２６】
式（14a）および式（14b）において、c0およびc1の生成方法は前述の応用シナリオにおける生成方法と同じである。式（13a）および式（13b）に基づき、c0およびc1はSD2DSSを生成するのに用いられるスクランブリングシーケンスである。グループ識別情報に従ってスクランブリングシーケンスに対して循環シフトが実行される。ここでは詳細をさらに述べない。
【０２２７】
さらに、式（14b）に従って生成された同期信号は再スクランブルされる：
【数１４８】
0006507436.tif 000151
【０２２８】
式（15）に従って生成された同期信号の例示図が図11に示されている。第1の位置と第2の位置との間隔は第1の間隔であり、第2の位置と第3の位置との間隔は第2の間隔であり、2つの間隔のサイズは同じであり、または異なり、これについては本発明では限定されない。2つの間隔の特定の値は実際の要件に従って設定することができる。本式のs2は、s0もしくはs1のどちらかとすることもでき、またはs0もしくはs1に従って獲得することもでき、またはs0およびs1と異なっていてもよい。c2は、c0もしくはc1のどちらかとすることもでき、またはc0もしくはc1に従って獲得することもでき、またはc0およびc1と異なっていてもよい。m2およびm3の値はm0およびm1に従って獲得され、m2はm3と等しくない。すなわち、m2およびm3の値は以下のとおりとすることができる：m2＝m0およびm3＝m1；またはm2＝m1およびm3＝m0。本実施形態において、同期信号SD2DSSの識別情報はm0およびm1によって共同で指示され、m0およびm1はSD2DSSについてのより幅広い識別情報範囲を指示することができる。加えて、式（14a）を再スクランブルし、またはより多くの回数スクランブルするための方法は、前述の説明における方法と同様であり、ここでは詳細をさらに述べない。
【０２２９】
以上では、2つの実際の応用例を用いて本発明の本実施形態で提供される同期信号生成方法を詳細に説明しているが、本発明は前述の2つのシナリオだけに限定されない。異なるシナリオにおける同期信号生成方法も同様であり、ここでは詳細をさらに述べない。
【０２３０】
前述の実施形態において、周波数領域信号に従って時間領域信号を獲得するステップは、OFDMによって周波数領域信号からベースバンド信号を獲得するステップ、または、SC-FDMAによって周波数領域信号からベースバンド信号を獲得するステップ、を含むことができる。
【０２３１】
ベースバンド信号を獲得するための一実施形態において、OFDMによって周波数領域信号からベースバンド信号を獲得するステップは、次式に従ってベースバンド信号を獲得するステップ、を含むことができ：
【数１４９】
0006507436.tif 000152
式中、tはベースバンド信号s（t）の時間独立変数を表し、
【数１５０】
0006507436.tif 000153
であり、Δfはサブキャリア間隔であり、akは周波数領域データが対応するサブキャリアにマップされた後で獲得される値であり、
【数１５１】
0006507436.tif 000154
であり、式中、
【数１５２】
0006507436.tif 000155
はシステム帯域幅のために構成されたRBの数を表し、
【数１５３】
0006507436.tif 000156
は周波数領域におけるリソースブロックのサイズを表し、
【数１５４】
0006507436.tif 000157
は切り捨て演算を表し、Nはシステム帯域幅のために構成されたサブキャリアの数である。
【０２３２】
ベースバンド信号を獲得するための別の実施形態において、SC-FDMAによって周波数領域信号からベースバンド信号を獲得するステップは、次式に従ってベースバンド信号を獲得するステップ、を含むことができ：
【数１５５】
0006507436.tif 000158
式中、tはベースバンド信号s（t）の時間独立変数を表し、
【数１５６】
0006507436.tif 000159
であり、Δfはサブキャリア間隔であり、akは周波数領域データが対応するサブキャリアにマップされた後で獲得される値であり、
【数１５７】
0006507436.tif 000160
であり、式中、
【数１５８】
0006507436.tif 000161
はシステム帯域幅のために構成されたRBの数を表し、
【数１５９】
0006507436.tif 000162
は周波数領域におけるリソースブロックのサイズを表し、
【数１６０】
0006507436.tif 000163
は切り捨て演算を表し、Nはシステム帯域幅のために構成されたサブキャリアの数である。ベースバンド信号を獲得するための本方法は、LTEアップリンクSC-FDMA変調方式に基づく信号送信にも適用することができる。
【０２３３】
任意選択で、ベースバンド信号を獲得するために、SC-FDMAによって同期信号をサブキャリアにマップするステップの前に、本同期信号送信方法は、変換信号を獲得するために、同期信号に対して離散フーリエ変換（Discrete Fourier Transform、略称：DFT）を実行するステップ、をさらに含むことができ、ベースバンド信号を獲得するために、SC-FDMAによって同期信号をサブキャリアにマップするステップは、具体的には、ベースバンド信号を獲得するために、SC-FDMAによって変換信号をサブキャリアにマップするステップ、である。同期信号に対してDFT処理を実行するステップは、同期信号のPAPR値をさらに低減させることができる。DFT処理ステップが実行されない一実施形態においては、同期信号上での検出を簡略化することができ、同期信号に対してDFT処理を実行するべきかどうかは具体的要件に従って決定することができる。
【０２３４】
具体的には、DFTは、変換信号を獲得するために次式に従って同期信号に対して実行され：
【数１６１】
0006507436.tif 000164
式中、lは同期信号d（l）の独立変数を表し、Lは同期信号の長さであり、b（n）は同期信号に対してDFTが実行された後で獲得される変換信号を表し、0≦n≦L−1であり、jは虚数単位を表す。
【０２３５】
図12は、本発明による同期信号送信方法の第5の実施形態の概略的流れ図である。図12に示すように、本実施形態は図8に示す実施形態に基づくものであり、さらに、本同期信号送信方法は以下を含むことができる。
【０２３６】
S701．1つまたは複数のシーケンスに従って同期信号を生成する。
【０２３７】
S702．同期信号に対するDFT処理を実行した後で変換信号を獲得する。
【０２３８】
このステップは任意選択のステップである。S701で生成された同期信号はサブキャリアに直接マップすることができ、すなわち、S703が実行される。
【０２３９】
S703．周波数領域信号を獲得するために変換信号をサブキャリアにマップする。
【０２４０】
S704．周波数領域信号に従って時間領域信号を獲得する。
【０２４１】
このステップの時間領域信号は図8に示す実施形態におけるベースバンド信号である。
【０２４２】
S705．無線周波数変換を実行した後で時間領域信号を送信する。
【０２４３】
ここでの無線周波数変換は、主に、同期信号の送信端において、周波数変調、送信フィルタリング、および送信電力増幅を行うためのものであり、無線周波数変換の目的は、信号が対応するアンテナを用いて直接送信されるように、生成された時間領域信号を特定の周波数上で送信される無線信号に変換することである。
【０２４４】
処理方法および本実施形態の各ステップの実際の効果については、前述の実施形態を参照されたく、ここでは詳細をさらに述べない。
【０２４５】
図13は、本発明による同期信号受信方法の第1の実施形態の概略的流れ図である。本発明の本実施形態は同期信号受信方法を提供し、本方法は、同期信号の送信端と受信端との間の同期に用いられ、同期信号受信装置によって実行することができる。本装置は、UEや基地局といった信号受信デバイスに組み込むことができる。図13に示すように、本同期信号受信方法は以下を含む。
【０２４６】
S801．同期信号を受信し、同期信号は1つまたは複数のシーケンスに従って送信端によって生成され、1つまたは複数のシーケンスの1つまたは複数の長さは同期信号の長さに従って決定される。
【０２４７】
S802．同期信号の送信端と受信端との間の同期を得るために、同期信号を検出する。
【０２４８】
送信端と受信端との間の同期は、時間同期、周波数同期などを含むことができる。
【０２４９】
本発明の本実施形態は送信端の前述の実施形態に対応する受信端の実施形態であり、具体的機能および効果については、送信端の実施形態の説明を参照されたい。
【０２５０】
同期信号の受信端はまず、本発明で提供されるSD2DSSといった同期信号を受信し、次いで、時間パラメータや周波数パラメータといった同期パラメータを獲得するために、同期信号の位置において同期信号を検出し、同期パラメータに従って制御情報およびデータ情報をさらに受信し、復調する。
【０２５１】
前述の実施形態において、シーケンスは、mシーケンス、ZCシーケンス、またはこれらの組み合わせを含むことができる。
【０２５２】
一実施形態において、シーケンスが31の長さを有するmシーケンスである場合、1つまたは複数のシーケンスを生成するための原始多項式は以下の多項式のいずれか1つまたは任意の組み合わせであり：
【数１６２】
0006507436.tif 000165
式中、
【数１６３】
0006507436.tif 000166
mod 2は2による除算のモジュロ演算を表す。
【０２５３】
別の実施形態において、シーケンスが63の長さを有するmシーケンスである場合、1つまたは複数のシーケンスを生成するための原始多項式は以下の多項式のいずれか1つまたは任意の組み合わせであり：
【数１６４】
0006507436.tif 000167
式中、
【数１６５】
0006507436.tif 000168
mod 2は2による除算のモジュロ演算を表す。
【０２５４】
任意選択で、本同期信号受信方法は、事前設定基準に従って、同期信号が受信されるかどうか検出するステップと、同期信号が検出されない場合、送信端として、受信端によって生成された同期信号を別の受信端へ送信するステップと、をさらに含むことができる。本実施形態においては、同期信号は事前設定基準に従って受信端で検出され、例えば、同期信号の強度が事前設定閾値より低いかどうか所定の位置において検出され、同期信号が検出されないときに、同期信号の受信端として働くデバイスは、受信端と送信端との間の同期を実現するために、同期信号の送信端として働き、本発明で提供される方法に従って同期信号を別の受信端へ送信することができる。
【０２５５】
当分野の技術者は、方法の実施形態のステップの全部または一部が、関連ハードウェアに命令するプログラムによって実現されうることを理解することができる。プログラムはコンピュータ可読記憶媒体に記憶することができる。プログラムが実行されると、方法の実施形態の各ステップが実行される。前述の記憶媒体は、ROM、RAM、磁気ディスク、光ディスクといった、プログラムコードを記憶することのできる任意の媒体を含む。
【０２５６】
最後に、前述の各実施形態は、単に本発明の技術的解決策を説明するためのものにすぎず、本発明を限定するためのものではないことに留意すべきである。本発明は、前述の各実施形態に関連して詳細に説明されているが、当分野の技術者は、本発明の実施形態の技術的解決策の範囲を逸脱することなく、前述の実施形態に記載される技術的解決策にさらに変更を加え、または前述の実施形態に記載される技術的解決策の一部もしくは全部の技術的特徴と等価の置換を行うこともできることを理解するはずである。
【符号の説明】
【０２５７】
10  基地局
11，12，13，14，15，21，22  UE
30  送信装置
31  同期信号生成モジュール
32  ベースバンド信号獲得モジュール
33  第1の送信モジュール
40  送信装置
41  変換モジュール
50  受信装置
51  受信モジュール
52  処理モジュール
60  送信デバイス
61  第1のプロセッサ
62  第1の送信機
70  受信デバイス
71  受信機
72  第2のプロセッサ
【図１】
0006507436.tif 000173
【図２】
0006507436.tif 000174
【図３】
0006507436.tif 000175
【図４】
0006507436.tif 000176
【図５】
0006507436.tif 000177
【図６】
0006507436.tif 000178
【図７】
0006507436.tif 000179
【図８】
0006507436.tif 000180
【図９】
0006507436.tif 000181
【図１０】
0006507436.tif 000182
【図１１】
0006507436.tif 000183
【図１２】
0006507436.tif 000184
【図１３】
0006507436.tif 000185